(57)【要約】  移動局装置から基地局装置に送信される受信品質情報には、送信される情報量や送信頻度などの要求がサービスごとに異なっており、上りリンクリソースに無駄が生じることがあった。そこで、基地局装置は、物理上りリンク共用チャネルの割り当てを行って移動局装置にその割り当てを通知し、移動局では、割り当てられた物理上りリンク共用チャネルを用いて、受信品質情報を基地局装置に通知することで、シグナリング量に応じた効率的な受信品質情報の送信制御を実現する。
2008153081.tif 000002
【特許請求の範囲】
【請求項１】
移動局装置が、基地局装置から受信した信号の品質を示す受信品質情報を前記基地局装置へ送信する移動通信システムであって、
基地局装置は、移動局装置が受信品質情報を送信する物理上りリンク共用チャネルの周期的な割り当てを行い、
前記移動局装置は、前記割り当てられた物理上りリンク共用チャネルで受信品質情報を周期的に前記基地局装置に送信することを特徴とする移動通信システム。
【請求項２】
前記基地局装置は、移動局装置が受信品質情報を送信する物理上りリンク共用チャネルの周期的な割り当てを無線資源制御信号に含めて送信し、
前記移動局装置は、前記無線資源制御信号で割り当てられた物理上りリンク共用チャネルで受信品質情報を周期的に前記基地局装置に送信することを特徴とする請求項１に記載の移動通信システム。
【請求項３】
前記基地局装置は、移動局装置が受信品質情報を送信する物理上りリンク共用チャネルの送信間隔とオフセットを無線資源制御信号に含めて送信し、
前記移動局装置は、前記無線資源制御信号で設定された送信間隔とオフセットで受信品質情報を周期的に前記基地局装置に送信することを特徴とする請求項１又は２に記載の移動通信システム。
【請求項４】
前記基地局装置は、物理上りリンク共用チャネルでの受信品質情報の周期的な送信を指示する無線資源制御信号、および、上りリンクデータの送信を指示する上りリンクデータ送信許可信号を送信し、
前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信することを特徴とする請求項３の移動通信システム。
【請求項５】
前記基地局装置は、前記移動局装置が受信品質情報を送信する物理上りリンク共用チャネルと物理上りリンク制御チャネルの周期的な割り当てを行い、
前記移動局装置は、前記割り当てられた物理上りリンク共用チャネルと物理上りリンク制御チャネルで受信品質情報を周期的に前記基地局装置に送信することを特徴とする請求項１に記載の移動通信システム。
【請求項６】
前記基地局装置は、移動局装置が受信品質情報を送信する物理上りリンク共用チャネルと物理上りリンク制御チャネルの周期的な割り当てを無線資源制御信号に含めて送信し、
前記移動局装置は、前記無線資源制御信号で割り当てられた物理上りリンク共用チャネルと物理上りリンク制御チャネルで受信品質情報を周期的に前記基地局装置に送信することを特徴とする請求項５に記載の移動通信システム。
【請求項７】
前記基地局装置は、移動局装置が受信品質情報を送信する物理上りリンク共用チャネルの送信間隔とオフセット、および、物理上りリンク制御チャネルの送信間隔とオフセットを無線資源制御信号に含めて送信し、
前記移動局装置は、前記無線資源制御信号に含まれる送信間隔とオフセットで受信品質情報を周期的に前記基地局装置に送信することを特徴とする請求項５又は６に記載の移動通信システム。
【請求項８】
移動局装置に対して、受信品質情報の送信を制御する基地局装置であって、
受信品質情報を送信する物理上りリンク共用チャネルの周期的な割り当てを行うスケジューラ部を備えることを特徴とする基地局装置。
【請求項９】
前記基地局装置は、移動局装置が受信品質情報を送信する物理上りリンク共用チャネルの周期的な割り当てを無線資源制御信号に含めるスケジューラ部と、
前記物理上りリンク共用チャネルの周期的な割り当てを含む無線資源制御信号を、前記移動局装置に送信する無線送信部と、を備えることを特徴とする請求項８に記載の基地局装置。
【請求項１０】
前記基地局装置は、移動局装置が受信品質情報を送信する物理上りリンク共用チャネルの送信間隔とオフセットを無線資源制御信号に含めるスケジューラ部と、
前記送信間隔とオフセットを含む無線資源制御信号を、前記移動局装置に送信する無線送信部と、を備えることを特徴とする請求項８又は９に記載の基地局装置。
【請求項１１】
基地局装置に受信品質情報を送信する移動局装置であって、
基地局装置によって割り当てられた物理上りリンク共用チャネルで受信品質情報を周期的に前記基地局装置に送信する無線送信部を備えることを特徴とする移動局装置。
【請求項１２】
前記移動局装置は、
受信品質情報を送信する物理上りリンク共用チャネルの周期的な割り当てを含む無線資源制御信号を前記基地局装置から受信する無線受信部と、
前記無線資源制御信号で割り当てられた物理上りリンク共用チャネルで受信品質情報を周期的に前記基地局装置に送信する無線送信部と、を備えることを特徴とする請求項１１に記載の移動局装置。
【請求項１３】
前記移動局装置は、
受信品質情報を送信する物理上りリンク共用チャネルの送信間隔とオフセットを含む無線資源制御信号を前記基地局装置から受信する無線受信部と、
前記無線資源制御信号で設定された送信間隔とオフセットで受信品質情報を周期的に前記基地局装置に送信する無線送信部と、を備えることを特徴とする請求項１１又は１２に記載の移動局装置。
【請求項１４】
前記移動局装置は、物理上りリンク共用チャネルでの受信品質情報の周期的な送信を指示する無線資源制御信号、および、上りリンクデータの送信を指示する上りリンクデータ送信許可信号を受信する無線受信部と、
前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する無線送信部と、を特徴とする請求項１１又は１２に記載の移動局装置。
【請求項１５】
移動局装置に対して、受信品質情報の送信を制御する基地局装置であって、
受信品質情報を送信する物理上りリンク共用チャネルと物理上りリンク制御チャネルの周期的な割り当てを行うスケジューラ部とを備えることを特徴とする請求項８に記載の基地局装置。
【請求項１６】
前記基地局装置は、
移動局装置が受信品質情報を送信する物理上りリンク共用チャネルと物理上りリンク制御チャネルの周期的な割り当てを無線資源制御信号に含めるスケジューラ部と、
前記物理上りリンク共用チャネルと物理上りリンク制御チャネルの割り当てを含む無線資源制御信号を、前記移動局装置に送信する無線送信部と、を備えることを特徴とする請求項１５に記載の基地局装置。
【請求項１７】
前記基地局装置は、
移動局装置が受信品質情報を送信する物理上りリンク共用チャネルの送信間隔とオフセット、および、物理上りリンク制御チャネルの送信間隔とオフセットを無線資源制御信号に含めるスケジューラ部と、
前記物理上りリンク共用チャネルの送信間隔とオフセット、および、物理上りリンク制御チャネルの送信間隔とオフセットを含む無線資源制御信号を、前記移動局装置に送信する無線送信部と、を備えることを特徴とする請求項１６に記載の基地局装置。
【請求項１８】
基地局装置に受信品質情報を送信する移動局装置であって、
受信品質情報を送信する物理上りリンク共用チャネルと物理上りリンク制御チャネルの周期的な割り当てを含む無線資源制御信号を前記基地局装置から受信する無線受信部と、
前記無線資源制御信号で割り当てられた物理上りリンク共用チャネルと物理上りリンク制御チャネルで受信品質情報を周期的に前記基地局装置に送信する無線送信部と、を備えることを特徴とする請求項１１に記載の移動局装置。
【請求項１９】
前記移動局装置は、
受信品質情報を送信する物理上りリンク共用チャネルの送信間隔とオフセット、および、物理上りリンク制御チャネルの送信間隔とオフセット含む無線資源制御信号を前記基地局装置から受信する無線受信部と、
前記無線資源制御信号で設定された物理上りリンク共用チャネルの送信間隔とオフセット、および、物理上りリンク制御チャネルの送信間隔とオフセットで受信品質情報を周期的に前記基地局装置に送信する無線送信部と、を備えることを特徴とする請求項１８に記載の移動局装置。
【請求項２０】
基地局装置と移動局装置とを用いた移動通信方法であって、
基地局装置は移動局装置が受信品質情報を送信する物理上りリンク共用チャネルの周期的な割り当てを行う過程を実行し、
前記移動局装置は、前記割り当てられた物理上りリンク共用チャネルで受信品質情報を周期的に前記基地局装置に送信する過程を実行することを特徴とする移動通信方法。
【請求項２１】
基地局装置と移動局装置とを用いた移動通信方法であって、
基地局装置は移動局装置が受信品質情報を送信する物理上りリンク共用チャネルの周期的な割り当てを無線資源制御信号に含めて移動局装置に送信する過程を実行し、
前記移動局装置は、前記無線資源制御信号で割り当てられた物理上りリンク共用チャネルで受信品質情報を周期的に前記基地局装置に送信する過程を実行することを特徴とする請求項２０に記載の移動通信方法。
【請求項２２】
前記基地局装置は、移動局装置が受信品質情報を送信する物理上りリンク共用チャネルの送信間隔とオフセットを無線資源制御信号に含めて移動局装置に送信する過程を実行し、
前記移動局装置は、前記無線資源制御信号で設定された送信間隔とオフセットで受信品質情報を周期的に前記基地局装置に送信する過程を実行することを特徴とする請求項２０又は２１に記載の移動通信方法。
【請求項２３】
前記基地局装置は、物理上りリンク共用チャネルでの受信品質情報の周期的な送信を指示する無線資源制御信号、および、上りリンクデータの送信を指示する上りリンクデータ送信許可信号を送信する過程を実行し、
前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する過程を実行することを特徴とする請求項２２に記載の移動通信方法。
【請求項２４】
前記基地局装置は、移動局装置が受信品質情報を送信する物理上りリンク共用チャネルと物理上りリンク制御チャネルの周期的な割り当てを行う過程を実行し、
前記移動局装置は、前記割り当てられた物理上りリンク共用チャネルと物理上りリンク制御チャネルで受信品質情報を周期的に前記基地局装置に送信する過程を実行することを特徴とする請求項２０に記載の移動通信方法。
【請求項２５】
前記基地局装置は、移動局装置が受信品質情報を送信する物理上りリンク共用チャネルと物理上りリンク制御チャネルの周期的な割り当てを無線資源制御信号に含めて送信する過程を実行し、
前記移動局装置は、前記無線資源制御信号で割り当てられた物理上りリンク共用チャネルと物理上りリンク制御チャネルで受信品質情報を周期的に前記基地局装置に送信する過程を実行することを特徴とする請求項２４に記載の移動通信方法。
【請求項２６】
移動局装置が、基地局装置から受信した信号の受信品質を測定し、受信品質情報を前記基地局装置へ送信する移動通信システムであって、
移動局装置は、受信品質情報を送信する際に使用するパラメータ情報の変更を要求する送信フォーマット変更要求を受信品質情報に含めて基地局装置に送信し、
前記基地局装置は、前記送信フォーマット変更要求を含んだ受信品質情報を受信した場合、移動局装置が受信品質情報を送信する際に使用するパラメータ情報を設定することを特徴とする移動通信システム。
【請求項２７】
基地局装置から受信した信号の受信品質を測定し、受信品質情報を前記基地局装置へ送信する移動局装置であって、
受信品質情報を送信する際に使用するパラメータ情報を基地局装置から受信する無線受信部と、
前記パラメータ情報の変更を要求する送信フォーマット変更要求を含んだ受信品質情報を前記基地局装置に送信する無線送信部と、を備えることを特徴とする移動局装置。
【請求項２８】
移動局装置に対して、受信品質情報の送信動作を制御する基地局装置であって、
移動局装置が受信品質情報を送信する際に使用するパラメータ情報の変更を要求する送信フォーマット変更要求を受信する無線受信部と、
前記送信フォーマット変更要求を受信した場合、
前記移動局装置が受信品質情報を送信する際に使用するパラメータ情報を設定する信号を送信する無線送信部と、を備えることを特徴とする基地局装置。
【請求項２９】
基地局装置と移動局装置とを用いた移動通信方法であって、
移動局装置は、受信品質情報を送信する際に使用するパラメータ情報の変更を要求する送信フォーマット変更要求を受信品質情報に含めて基地局装置に送信する過程を実行し、
前記基地局装置は、前記送信フォーマット変更要求を受信した場合、移動局装置が受信品質情報を送信する際に使用するパラメータ情報を設定する過程を実行することを特徴とする移動通信方法。
【請求項３０】
移動局装置が、基地局装置から受信した信号の受信品質を測定し、受信品質情報を前記基地局装置へ送信する移動通信システムであって、
基地局装置は、移動局装置が受信品質情報を送信する際に使用するパラメータ情報を複数個記載した受信品質情報パラメータリストを無線資源制御信号に含めて送信した後、
前記受信品質情報パラメータリストの中から１つのパラメータ情報を指定するインデックス指定情報を上りリンクデータ送信許可信号に含めて送信し、
前記移動局装置は、前記インデックス指定情報で指定されたパラメータ情報を使用して受信品質情報を前記基地局装置に送信することを特徴とする移動通信システム。
【請求項３１】
移動局装置に対して、受信品質情報の送信動作を制御する基地局装置であって、
移動局装置が受信品質情報を送信する際に使用するパラメータ情報を複数個記載した受信品質情報パラメータリストを無線資源制御信号に含めて送信した後、
前記受信品質情報パラメータリストの中から１つのパラメータ情報を指定するインデックス指定情報を上りリンクデータ送信許可信号に含めて送信する無線送信部を備えることを特徴とする基地局装置。
【請求項３２】
基地局装置から受信した信号の受信品質を測定し、受信品質情報を前記基地局装置へ送信する移動局装置であって、
受信品質情報を送信する際に使用するパラメータ情報を複数個記載した受信品質情報パラメータリストを含んだ無線資源制御信号を受信した後、
前記受信品質情報パラメータリストの中から１つのパラメータ情報を指定するインデックス指定情報を含んだ上りリンクデータ送信許可信号を受信する無線受信部と、
前記インデックス指定情報で指定されたパラメータ情報を使用して受信品質情報を前記基地局装置に送信する無線送信部と、を備えることを特徴とする移動局装置。
【請求項３３】
基地局装置と移動局装置とを用いた移動通信方法であって、
基地局装置は、移動局装置が受信品質情報を送信する際に使用するパラメータ情報を複数個記載した受信品質情報パラメータリストを無線資源制御信号に含めて送信した後、
前記受信品質情報パラメータリストの中から１つのパラメータ情報を指定するインデックス指定情報を上りリンクデータ送信許可信号に含めて送信する過程を実行し、
前記移動局装置は、前記インデックス指定情報で指定されたパラメータ情報を使用して受信品質情報を前記基地局装置に送信する過程を実行することを特徴とする移動通信方法。
【請求項３４】
移動局装置が、基地局装置から受信した信号の受信品質を測定し、受信品質情報を前記基地局装置へ送信する移動通信システムであって、
移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信し、
前記基地局装置は、前記インデックス変更要求を含んだ受信品質情報を受信した場合、
インデックス指定情報を送信して、移動局装置が受信品質情報を送信する際に使用するパラメータ情報を設定することを特徴とする移動通信システム。
【請求項３５】
基地局装置から受信した信号の受信品質を測定し、受信品質情報を前記基地局装置へ送信する移動局装置であって、
受信品質情報を送信する際に使用するパラメータ情報を複数個記載した受信品質情報パラメータリストを含んだ無線資源制御信号を受信した後、
前記受信品質情報パラメータリストの中から１つのパラメータ情報を指定するインデックス指定情報を含んだ上りリンクデータ送信許可信号を受信する無線受信部と、
前記インデックス指定情報で指定されたパラメータ情報の変更を要求するインデックス変更要求を受信品質情報に含めて前記基地局装置に送信する無線送信部と、を備えることを特徴とする移動局装置。
【請求項３６】
移動局装置に対して、受信品質情報の送信動作を制御する基地局装置であって、
受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を含んだ受信品質情報を受信した場合、
前記受信品質情報パラメータリストの中から１つのパラメータ情報を指定するインデックス指定情報を上りリンクデータ送信許可信号に含めて送信する無線送信部を備えることを特徴とする基地局装置。
【請求項３７】
基地局装置と移動局装置とを用いた移動通信方法であって、
移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信する過程を実行し、
前記基地局装置は、前記インデックス変更要求を含んだ受信品質情報を受信した場合、
インデックス指定情報を送信して、移動局装置が受信品質情報を送信する際に使用するパラメータ情報を設定する過程を実行することを特徴とする移動通信方法。
【発明の詳細な説明】
【技術分野】
【０００１】
本発明は、受信品質情報を測定、送信する移動通信システム、基地局装置、移動局装置及び移動通信方法に関する。
【背景技術】
【０００２】
3GPP (3rd Generation Partnership Project)は、W-CDMA（Wideband-Code Division Multiple Access）とGSM（Global System for Mobile Communications）を発展させたネットワークを基本した携帯電話システムの仕様を検討・作成を行うプロジェクトである。3GPPではW-CDMA方式が第3世代セルラー移動通信方式として標準化され、順次サービスが開始されている。また、通信速度を更に上げたHSDPA(High-Speed Downlink Packet Access)も標準化され、サービスが開始されている。3GPPでは、第3世代無線アクセス技術の進化（Evolved Universal Terrestrial Radio Access: 以下、E-UTRAと称する）が検討されている。【０００３】
E-UTRAにおけるダウンリンク通信方式として、互いに直交するサブキャリアを用いてユーザ多重化を行うOFDMA（Orthogonal Frequency Multiple Access）方式が提案されている。また、OFDMA方式において、チャネル符号化等の適応無線リンク制御（リンクアダプテーション：Link Adaptation）に基づく適応変復調・誤り訂正方式（AMCS：Adaptive Modulation and Coding Scheme）といった技術が適用されている。AMCSとは、高速パケットデータ伝送を効率的に行うために、各移動局装置の伝播路状況に応じて、誤り訂正方式、誤り訂正の符号化率、データ変調多値数などの無線伝送パラメータ（以下、AMCモードと称する。）を切り替える方式である。例えば、データ変調については、伝播路状況が良好になるに従って、QPSK（Quadrature Phase Shift Keying）変調から、16QAM（Quadrature Amplitude Modulation）変調、64QAM変調など、より高い変調効率の多値変調方式に切り替えることで、移動通信システムの最大スループットを増大させることができる。【０００４】
OFDMAにおいて、通信可能な領域を物理的にサブキャリアに対応する周波数領域と時間領域において分割することができる。この分割領域をいくつかにまとめたものはリソースブロックと呼ばれ、ひとつ、または、いくつかのリソースブロックを各移動局装置へ割り振り、複数の移動局装置を多重化した通信が行われる。基地局装置と各移動局装置とが、その要求に応じた最適な品質・速度での通信を行うためには、各移動局装置における各サブキャリアに対応する周波数帯の受信品質や移動局装置における通信速度の要求を考慮したリソースブロック割り当ておよび伝送方式の決定が必要である。伝送方式やスケジューリングは基地局装置が行うため、この要求を実現するために、基地局装置は各移動局装置から受信品質のフィードバックを受信することが必要となる。【０００５】
また、E-UTRAにおいては通信路容量を増大するために、MIMO（Multiple Input Multiple Output）を利用したSDM（Space Division Multiplexing：空間多重技術）もしくはSFBC（Space-Frequency Block Diversity）、CDD（Cyclic Delay Diversity）といった送信ダイバーシティの利用が提案されている。MIMOは多入力・多出力システムまたは技術の総称であり、送信側、受信側に複数のアンテナを用いて、電波の入出力の分岐数を複数にして伝送することを特徴とする。MIMOを利用すると、マルチパスの影響で空間として複数の伝播路を形成し複数の情報を多重化して送信すること、複数の送信アンテナの電力を受信側で合成し、受信利得を得ることが可能となる。E-UTRAでは、MIMOによるSDMおよび送信ダイバーシティの利用が想定されており、どの方式によって通信を行うかは基地局装置における受信品質を考慮し、基地局装置が決定しなければならない。また、ダウンリンクにおけるSDMの利用時については、各アンテナから送信される複数ストリームの情報を正しく分離ために、予め送信信号系列を前処理する（これをプレコーディングと称する）ことが検討されている。プレコーディングの情報は、移動局装置が推定した伝播路情報を元に算出されるものであり、移動局装置から基地局装置にプレコーディング情報をフィードバックしなければならない。【０００６】
このように、最適な品質での通信を実現するために、各移動局装置から基地局装置通信路へ、様々な情報をフィードバックすることが必要とされている。この受信品質情報のビット数やフォーマットは、情報の粒度や質により様々でなる。一例として、前述のリソースブロックの割り当てにおける最適化のための各サブキャリアにおける下り回線状態の受信品質を示す情報について、最適な周波数領域を割り当てるためには各サブキャリアにおけるチャネル状態（周波数特性、すなわち、周波数に依存する伝送損失等の特性）を計測し、各チャネル状態を量子化した基地局装置にフィードバックする必要がある（下記特許文献１）。このチャネル情報を表現するには多くの情報量が要求され、チャネル状況の変化に応じ、頻度を変えて受信品質情報を基地局装置に送信しなければならない。【０００７】
一方で、AMCモードを基地局装置にフィードバックする場合においては、変調方式（64QAM, 16QAM, QPSK）と符号化率（R=1/3,P=1/4など）を表現する少ない情報量のみでよい。【０００８】
この受信品質情報を行うアップリンクのチャネルとして、E-UTRAでは、PUCCH（Physical Uplink Control Channel：物理上りリンク制御チャネル）を使用することが検討されてきた。PUCCHは、E-UTRAのリンクを維持する為のチャネルであって、ACK/NACKと呼ばれる信号と、受信品質情報を表す信号の2種類の信号を多重化して伝送するための物理チャネルである。【０００９】
これらの信号のうちACK/NACK信号は下りリンクで伝送されたデータチャネルが正しく受信できたか否かを移動局装置から基地局装置通知する為の信号であり、受信品質情報は、下りリンクの伝送方式を制御する為に基地局装置に提供される下りリンクのチャネル状況を報告する信号である。【００１０】
上述してきたように、移動局装置から基地局装置に送信される受信品質情報には様々な種類があり、送信される情報量のサイズ、移動局装置から基地局装置への送信頻度などの要求がそれぞれ異なっている。【００１１】
この点に関し、下記非特許文献１では、移動局装置から基地局装置へ受信品質情報を送信する際に、異なる受信品質情報の要求を持つサービスの種類によって、受信品質情報をPUCCH、もしくは、PUSCH（Physical Uplink Shared Channel：物理上りリンク共用チャネル）を使用して受信品質情報を送信しようとする提案がなされている。PUSCHは、通常のデータを送信するために使用されるチャネルであり、PUCCHよりも多くの情報量を送信することができるチャネルである。
【特許文献１】特開２００５−１３０４９１号公報
【非特許文献１】"CQI handling during DRX"、3GPP、TSG RAN WG2 Meeting #58、R2-071901、2007年5月
【発明の開示】
【発明が解決しようとする課題】
【００１２】
しかしながら、上記のような従来の技術では、移動局装置から基地局装置に対して受信品質情報をPUCCH、もしくは、PUSCHで送信する際に、基地局装置がどのような制御情報を用いて移動局装置の制御を行い、さらに、基地局装置と移動局装置との間でどのようなやり取りが行われて受信品質情報の送信が行われるに関する具体的な記載はない。【００１３】
送信される情報量のサイズ、送信頻度の異なる受信品質情報送信の制御は、基地局装置が制御しなければならない。各移動局装置が、それぞれの判断で情報量の大きな受信品質情報を高頻度に送信しては、セル内の上りリンクリソースが不足してしまい、また、情報量の小さな受信品質情報を低頻度に送信しては、上りリンクリソースに無駄が生じてしまうためである。【００１４】
すなわち、移動局装置から基地局装置に対する受信品質情報の送信において、基地局装置からどのような制御情報を用いて移動局装置の制御を行い、基地局装置と移動局装置の間でどのようなやり取りを行って受信品質情報の送信を行うかが重要な課題であり、受信品質情報の情報量、送信頻度を考慮した、効率的な送信制御方法が必要とされる。【００１５】
本発明は、上記事情に鑑みてなされたものであり、その目的は、受信品質情報の情報量、送信頻度に柔軟に対応した、効率的な送信制御を実現する移動通信システム、基地局装置、移動局装置を提供することにある。
【課題を解決するための手段】
【００１６】
本発明の一観点によれば、移動局装置が、基地局装置から受信した信号の品質を示す受信品質情報を前記基地局装置へ送信する移動通信システムであって、基地局装置は、移動局装置が受信品質情報を送信する物理上りリンク共用チャネルの周期的な割り当てを行い、前記移動局装置は、前記割り当てられた物理上りリンク共用チャネルで受信品質情報を周期的に前記基地局装置に送信することを特徴とする移動通信システムが提供される。前記基地局装置は、移動局装置が受信品質情報を送信する物理上りリンク共用チャネルの周期的な割り当てを無線資源制御信号に含めて送信し、前記移動局装置は、前記無線資源制御信号で割り当てられた物理上りリンク共用チャネルで受信品質情報を周期的に前記基地局装置に送信することが好ましい。前記基地局装置は、移動局装置が受信品質情報を送信する物理上りリンク共用チャネルの送信間隔とオフセットを無線資源制御信号に含めて送信し、前記移動局装置は、前記無線資源制御信号で設定された送信間隔とオフセットで受信品質情報を周期的に前記基地局装置に送信する移動通信システムであっても良い。また、前記基地局装置は、物理上りリンク共用チャネルでの受信品質情報の周期的な送信を指示する無線資源制御信号、および、上りリンクデータの送信を指示する上りリンクデータ送信許可信号を送信し、前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信するようにしても良い。また、前記基地局装置は、前記移動局装置が受信品質情報を送信する物理上りリンク共用チャネルと物理上りリンク制御チャネルの周期的な割り当てを行い、前記移動局装置は、前記割り当てられた物理上りリンク共用チャネルと物理上りリンク制御チャネルで受信品質情報を周期的に前記基地局装置に送信するようにしても良い。【００１７】
前記基地局装置は、移動局装置が受信品質情報を送信する物理上りリンク共用チャネルと物理上りリンク制御チャネルの周期的な割り当てを無線資源制御信号に含めて送信し、前記移動局装置は、前記無線資源制御信号で割り当てられた物理上りリンク共用チャネルと物理上りリンク制御チャネルで受信品質情報を周期的に前記基地局装置に送信するようにしても良い。前記基地局装置は、移動局装置が受信品質情報を送信する物理上りリンク共用チャネルの送信間隔とオフセット、および、物理上りリンク制御チャネルの送信間隔とオフセットを無線資源制御信号に含めて送信し、前記移動局装置は、前記無線資源制御信号に含まれる送信間隔とオフセットで受信品質情報を周期的に前記基地局装置に送信するようにしても良い。【００１８】
また、本発明は、移動局装置に対して、受信品質情報の送信を制御する基地局装置であって、受信品質情報を送信する物理上りリンク共用チャネルの周期的な割り当てを行うスケジューラ部を備えることを特徴とする基地局装置であっても良い。前記基地局装置は、移動局装置が受信品質情報を送信する物理上りリンク共用チャネルの周期的な割り当てを無線資源制御信号に含めるスケジューラ部と、前記物理上りリンク共用チャネルの周期的な割り当てを含む無線資源制御信号を、前記移動局装置に送信する無線送信部と、を備えることが好ましい。前記基地局装置は、移動局装置が受信品質情報を送信する物理上りリンク共用チャネルの送信間隔とオフセットを無線資源制御信号に含めるスケジューラ部と、前記送信間隔とオフセットを含む無線資源制御信号を、前記移動局装置に送信する無線送信部と、を備えることが好ましい。【００１９】
また、本発明は、基地局装置に受信品質情報を送信する移動局装置であって、基地局装置によって割り当てられた物理上りリンク共用チャネルで受信品質情報を周期的に前記基地局装置に送信する無線送信部を備えるものであっても良い。前記移動局装置は、受信品質情報を送信する物理上りリンク共用チャネルの周期的な割り当てを含む無線資源制御信号を前記基地局装置から受信する無線受信部と、前記無線資源制御信号で割り当てられた物理上りリンク共用チャネルで受信品質情報を周期的に前記基地局装置に送信する無線送信部と、を備えることが好ましい。【００２０】
前記移動局装置は、受信品質情報を送信する物理上りリンク共用チャネルの送信間隔とオフセットを含む無線資源制御信号を前記基地局装置から受信する無線受信部と、前記無線資源制御信号で設定された送信間隔とオフセットで受信品質情報を周期的に前記基地局装置に送信する無線送信部と、を備えることが好ましい。【００２１】
前記移動局装置は、物理上りリンク共用チャネルでの受信品質情報の周期的な送信を指示する無線資源制御信号、および、上りリンクデータの送信を指示する上りリンクデータ送信許可信号を受信する無線受信部と、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する無線送信部と、を特徴とする。【００２２】
移動局装置に対して、受信品質情報の送信を制御する基地局装置であって、受信品質情報を送信する物理上りリンク共用チャネルと物理上りリンク制御チャネルの周期的な割り当てを行うスケジューラ部とを備えることが好ましい。また、前記基地局装置は、移動局装置が受信品質情報を送信する物理上りリンク共用チャネルと物理上りリンク制御チャネルの周期的な割り当てを無線資源制御信号に含めるスケジューラ部と、前記物理上りリンク共用チャネルと物理上りリンク制御チャネルの割り当てを含む無線資源制御信号を、前記移動局装置に送信する無線送信部と、を備えることが好ましい。【００２３】
前記基地局装置は、移動局装置が受信品質情報を送信する物理上りリンク共用チャネルの送信間隔とオフセット、および、物理上りリンク制御チャネルの送信間隔とオフセットを無線資源制御信号に含めるスケジューラ部と、前記物理上りリンク共用チャネルの送信間隔とオフセット、および、物理上りリンク制御チャネルの送信間隔とオフセットを含む無線資源制御信号を、前記移動局装置に送信する無線送信部と、を備えるものであっても良い。【００２４】
また、本発明は、基地局装置に受信品質情報を送信する移動局装置であって、受信品質情報を送信する物理上りリンク共用チャネルと物理上りリンク制御チャネルの周期的な割り当てを含む無線資源制御信号を前記基地局装置から受信する無線受信部と、前記無線資源制御信号で割り当てられた物理上りリンク共用チャネルと物理上りリンク制御チャネルで受信品質情報を周期的に前記基地局装置に送信する無線送信部と、を備えることを特徴とする。前記移動局装置は、受信品質情報を送信する物理上りリンク共用チャネルの送信間隔とオフセット、および、物理上りリンク制御チャネルの送信間隔とオフセット含む無線資源制御信号を前記基地局装置から受信する無線受信部と、前記無線資源制御信号で設定された物理上りリンク共用チャネルの送信間隔とオフセット、および、物理上りリンク制御チャネルの送信間隔とオフセットで受信品質情報を周期的に前記基地局装置に送信する無線送信部と、を備えることが好ましい。【００２５】
本発明は、基地局装置と移動局装置とを用いた移動通信方法であって、基地局装置は移動局装置が受信品質情報を送信する物理上りリンク共用チャネルの周期的な割り当てを行う過程を実行し、前記移動局装置は、前記割り当てられた物理上りリンク共用チャネルで受信品質情報を周期的に前記基地局装置に送信する過程を実行することを特徴とする移動通信方法である。【００２６】
また、基地局装置と移動局装置とを用いた移動通信方法であって、基地局装置は移動局装置が受信品質情報を送信する物理上りリンク共用チャネルの周期的な割り当てを無線資源制御信号に含めて移動局装置に送信する過程を実行し、前記移動局装置は、前記無線資源制御信号で割り当てられた物理上りリンク共用チャネルで受信品質情報を周期的に前記基地局装置に送信する過程を実行することを特徴とするものである。前記基地局装置は、移動局装置が受信品質情報を送信する物理上りリンク共用チャネルの送信間隔とオフセットを無線資源制御信号に含めて移動局装置に送信する過程を実行し、前記移動局装置は、前記無線資源制御信号で設定された送信間隔とオフセットで受信品質情報を周期的に前記基地局装置に送信する過程を実行するものである。【００２７】
前記基地局装置は、物理上りリンク共用チャネルでの受信品質情報の周期的な送信を指示する無線資源制御信号、および、上りリンクデータの送信を指示する上りリンクデータ送信許可信号を送信する過程を実行し、前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する過程を実行することを特徴とする。前記基地局装置は、移動局装置が受信品質情報を送信する物理上りリンク共用チャネルと物理上りリンク制御チャネルの周期的な割り当てを行う過程を実行し、前記移動局装置は、前記割り当てられた物理上りリンク共用チャネルと物理上りリンク制御チャネルで受信品質情報を周期的に前記基地局装置に送信する過程を実行することが好ましい。また、前記基地局装置は、移動局装置が受信品質情報を送信する物理上りリンク共用チャネルと物理上りリンク制御チャネルの周期的な割り当てを無線資源制御信号に含めて送信する過程を実行し、前記移動局装置は、前記無線資源制御信号で割り当てられた物理上りリンク共用チャネルと物理上りリンク制御チャネルで受信品質情報を周期的に前記基地局装置に送信する過程を実行することが好ましい。【００２８】
また、本発明は、移動局装置が、基地局装置から受信した信号の受信品質を測定し、受信品質情報を前記基地局装置へ送信する移動通信システムであって、移動局装置は、受信品質情報を送信する際に使用するパラメータ情報の変更を要求する送信フォーマット変更要求を受信品質情報に含めて基地局装置に送信し、前記基地局装置は、前記送信フォーマット変更要求を含んだ受信品質情報を受信した場合、移動局装置が受信品質情報を送信する際に使用するパラメータ情報を設定することを特徴とする移動通信システムである。【００２９】
さらに、基地局装置から受信した信号の受信品質を測定し、受信品質情報を前記基地局装置へ送信する移動局装置であって、受信品質情報を送信する際に使用するパラメータ情報を基地局装置から受信する無線受信部と、前記パラメータ情報の変更を要求する送信フォーマット変更要求を含んだ受信品質情報を前記基地局装置に送信する無線送信部と、を備えることを特徴とする移動局装置である。【００３０】
また、移動局装置に対して、受信品質情報の送信動作を制御する基地局装置であって、移動局装置が受信品質情報を送信する際に使用するパラメータ情報の変更を要求する送信フォーマット変更要求を受信する無線受信部と、前記送信フォーマット変更要求を受信した場合、前記移動局装置が受信品質情報を送信する際に使用するパラメータ情報を設定する信号を送信する無線送信部と、を備えることを特徴とする基地局装置である。【００３１】
また、基地局装置と移動局装置とを用いた移動通信方法であって、移動局装置は、受信品質情報を送信する際に使用するパラメータ情報の変更を要求する送信フォーマット変更要求を受信品質情報に含めて基地局装置に送信する過程を実行し、前記基地局装置は、前記送信フォーマット変更要求を受信した場合、移動局装置が受信品質情報を送信する際に使用するパラメータ情報を設定する過程を実行することを特徴とする移動通信方法であっても良い。【００３２】
移動局装置が、基地局装置から受信した信号の受信品質を測定し、受信品質情報を前記基地局装置へ送信する移動通信システムであって、基地局装置は、移動局装置が受信品質情報を送信する際に使用するパラメータ情報を複数個記載した受信品質情報パラメータリストを無線資源制御信号に含めて送信した後、
前記受信品質情報パラメータリストの中から１つのパラメータ情報を指定するインデックス指定情報を上りリンクデータ送信許可信号に含めて送信し、前記移動局装置は、前記インデックス指定情報で指定されたパラメータ情報を使用して受信品質情報を前記基地局装置に送信することを特徴とする移動通信システムであっても良い。【００３３】
移動局装置に対して、受信品質情報の送信動作を制御する基地局装置であって、移動局装置が受信品質情報を送信する際に使用するパラメータ情報を複数個記載した受信品質情報パラメータリストを無線資源制御信号に含めて送信した後、前記受信品質情報パラメータリストの中から１つのパラメータ情報を指定するインデックス指定情報を上りリンクデータ送信許可信号に含めて送信する無線送信部を備えることを特徴とする基地局装置であっても良い。【００３４】
基地局装置から受信した信号の受信品質を測定し、受信品質情報を前記基地局装置へ送信する移動局装置であって、受信品質情報を送信する際に使用するパラメータ情報を複数個記載した受信品質情報パラメータリストを含んだ無線資源制御信号を受信した後、前記受信品質情報パラメータリストの中から１つのパラメータ情報を指定するインデックス指定情報を含んだ上りリンクデータ送信許可信号を受信する無線受信部と、前記インデックス指定情報で指定されたパラメータ情報を使用して受信品質情報を前記基地局装置に送信する無線送信部と、を備えることを特徴とする移動局装置であっても良い。【００３５】
基地局装置と移動局装置とを用いた移動通信方法であって、基地局装置は、移動局装置が受信品質情報を送信する際に使用するパラメータ情報を複数個記載した受信品質情報パラメータリストを無線資源制御信号に含めて送信した後、前記受信品質情報パラメータリストの中から１つのパラメータ情報を指定するインデックス指定情報を上りリンクデータ送信許可信号に含めて送信する過程を実行し、前記移動局装置は、前記インデックス指定情報で指定されたパラメータ情報を使用して受信品質情報を前記基地局装置に送信する過程を実行することを特徴とする移動通信方法である。【００３６】
また、移動局装置が、基地局装置から受信した信号の受信品質を測定し、受信品質情報を前記基地局装置へ送信する移動通信システムであって、移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信し、前記基地局装置は、前記インデックス変更要求を含んだ受信品質情報を受信した場合、インデックス指定情報を送信して、移動局装置が受信品質情報を送信する際に使用するパラメータ情報を設定することを特徴とする移動通信システムである。【００３７】
基地局装置から受信した信号の受信品質を測定し、受信品質情報を前記基地局装置へ送信する移動局装置であって、受信品質情報を送信する際に使用するパラメータ情報を複数個記載した受信品質情報パラメータリストを含んだ無線資源制御信号を受信した後、前記受信品質情報パラメータリストの中から１つのパラメータ情報を指定するインデックス指定情報を含んだ上りリンクデータ送信許可信号を受信する無線受信部と、前記インデックス指定情報で指定されたパラメータ情報の変更を要求するインデックス変更要求を受信品質情報に含めて前記基地局装置に送信する無線送信部と、を備えることを特徴とする移動局装置でも良い。【００３８】
移動局装置に対して、受信品質情報の送信動作を制御する基地局装置であって、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を含んだ受信品質情報を受信した場合、前記受信品質情報パラメータリストの中から１つのパラメータ情報を指定するインデックス指定情報を上りリンクデータ送信許可信号に含めて送信する無線送信部を備えるようにしても良い。また、基地局装置と移動局装置とを用いた移動通信方法であって、移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信する過程を実行し、
前記基地局装置は、前記インデックス変更要求を含んだ受信品質情報を受信した場合、インデックス指定情報を送信して、移動局装置が受信品質情報を送信する際に使用するパラメータ情報を設定する過程を実行することを特徴とする移動通信方法であっても良い。
【発明の効果】
【００３９】
本発明の移動通信技術によれば、受信品質情報の情報量、送信頻度に柔軟に対応した、効率的な送信制御を実現することができる。
【図面の簡単な説明】
【００４０】
【図１Ａ】本発明の第１の実施の形態による移動通信システムにおける基地局装置の一構成例を示す概略ブロック図である。
【図１Ｂ】本発明の第１の実施の形態による移動通信システムにおける移動局装置の一構成例を示す概略ブロック図である。
【図２】本発明の第１の実施の形態による処理フローを説明する図である。
【図３】本発明の第２の実施の形態による処理フローを説明する図である。
【図４】本発明の第３の実施の形態による処理フローを説明する図である。
【図５】受信品質情報パラメータリストの一例を示した図である。
【図６】本発明の第４の実施の形態による処理フローを説明する図である。
【発明を実施するための最良の形態】
【００４１】
（第１の実施形態）
まず、本発明の第１の実施の形態による移動通信システムについて説明する。この移動通信システムは、基地局装置と移動局装置とを備えている。図１Ａ、図１Ｂは、本実施の形態による移動局装置、基地局装置の一構成例を示す概略ブロック図である。図１Ａに示すように、基地局装置Ａは、データ制御部１、変調符号化部３、マッピング部５、逆高速フーリエ変換（IFFT）部７、無線送信部１１、無線受信部１５、高速フーリエ変換（FFT）部１７、復調復号化部２１、データ抽出部２３、スケジューラ部２５、送信情報制御部２７、アンテナ３５を備えている。送信情報制御部２７は、変調符号制御部３１、周波数選択スケジューラ部３３を含んでいる。【００４２】
データ制御部１には、各移動局装置Ｂに送信される送信データと、制御データとが入力され、スケジューラ部２５からの指示に従って、それぞれのデータが逐次、移動局装置Ｂに送信される。【００４３】
変調符号化部３は、変調符号制御部３１が決定した変調方式および符号化率に基づいて、データ制御部１から出力される信号に対して、変調処理や誤り訂正符号化処理を施し、各データをマッピング部５に出力する。【００４４】
マッピング部５は、周波数選択スケジューラ部３３から出力される周波数選択スケジューリング情報に基づいて、変調符号化部３から出力されるデータを、各サブキャリア上にマッピングし、逆高速フーリエ変換部７に出力する。【００４５】
逆高速フーリエ変換部７は、マッピング部５から出力されるデータに、逆高速フーリエ変換の処理を施し、時系列のベースバンドデジタル信号に変換し、無線送信部１１に出力する。逆高速フーリエ変換部７からの出力信号は、無線送信部１１においてデジタル／アナログ変換され、送信に適した周波数にアップコンバートされた後に、アンテナ３５を介して、各移動局装置Ｂに送信される。【００４６】
スケジューラ部２５は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行う。【００４７】
変調符号制御部３１は、移動局装置Ｂから送信される受信品質情報に基づいて、各データに施す変調方式、符号化率を決定し、変調符号部３に出力する。【００４８】
周波数選択スケジューラ部３３は、移動局装置Ｂから送信される受信品質情報に基づいて、各データに施す周波数選択スケジューリングの処理を行い、その結果をマッピング部５に出力する。【００４９】
移動局装置Ｂは、データ制御部４１、変調符号化部４３、マッピング部４５、逆高速フーリエ変換（IFFT）部４７、無線送信部５１、無線受信部５３、高速フーリエ変換（FFT）部５５、復調復号化部５７、データ抽出部６１、受信品質情報制御部６５、アンテナ６３を備えている。受信品質情報制御部６５は、受信品質情報生成部６７、受信品質測定部７１を備えている。【００５０】
データ制御部４１には、基地局装置Ａに送信される送信データと、制御データとが入力され、それぞれのデータが逐次、基地局装置Ａに送信される。【００５１】
変調符号化部４３は、データ制御部４１から出力される信号に変調処理や誤り訂正符号化処理を施し、各データをマッピング部４５に出力する。【００５２】
マッピング部４５は、変調符号化部４３から出力されるデータを、各サブキャリア上にマッピングし、逆高速フーリエ変換部４７に出力する。【００５３】
逆高速フーリエ変換部４７は、マッピング部４５から出力されるシンボル系列に逆高速フーリエ変換の処理を施し、時系列のベースバンドデジタル信号に変換し、無線送信部５１に出力する。逆高速フーリエ変換部４７からの出力信号は、無線送信部５１においてデジタル／アナログ変換され、送信に適した周波数にアップコンバートされた後に、アンテナを介して、基地局装置Ａに送信される。【００５４】
受信品質測定部７１は、基地局装置Ａから受信する信号の受信品質を測定する。受信品質情報生成部６７は、受信品質測定部７１によって測定された情報に基づいて、基地局装置Ａに送信する受信品質情報を生成する。【００５５】
図２は、本実施の形態による移動通信システムを説明するための基地局装置Ａから移動局装置Ｂに送信される制御信号、移動局装置Ｂから基地局装置Ａに送信される受信品質情報、上りリンクデータ、受信品質情報送信形態、および、その処理フローを示した図である。図２では、例として、#slot1〜#slot20までの動作を示している。左の図と右の図とは、スロット軸（縦軸）方向に対応している。右図では、符号１０１から１１９までのやり取りが基地局装置Ａと移動局装置Ｂとの間で行われる。まず基地局装置Ａは、受信品質情報を送信する際に使用する受信品質パラメータ情報と長期的な資源割り当てとを、RRCシグナリング（Radio Resource Control signaling：無線資源制御信号）に含めて移動局装置Ｂに対して送信する（１０１）。【００５６】
受信品質情報を送信する際に使用するパラメータとは、受信品質情報を送信する際に使用されるPUCCHやPUSCHなどの上りリンクのチャネル、受信品質情報を測定する測定間隔、移動局装置Ｂが受信品質情報を測定する際の周波数分解能（周波数粒度）、MIMO通信時における移動局装置Ｂが受信できるストリームの数（RANK）、closed loopかopen loopか、MIMO通信時におけるモード（SU-MIMO、MU-MIMOなど）の情報を示している。また、後述する、上りリンクデータと事前に割り当てられたPUSCHのリソースで送信しようとしていた受信品質情報の割合（OFDMシンボル数）、上りリンクデータと事前に割り当てられたPUCCHのリソースで送信しようとしていた受信品質情報の割合（OFDMシンボル数）の情報も示している。長期的な資源割り当てとは、受信品質情報を送信する時間リソース（送信スロット）、受信品質情報を送信する周波数リソースの情報を示している。【００５７】
基地局装置Ａから、受信品質送信パラメータ情報と長期的な資源割り当てを含んだRRCシグナリングが送信され（１０１）、その信号を受信した移動局装置Ｂは、その情報に基づいて、基地局装置Ａに対して受信品質情報を送信する（１０２）。【００５８】
図２では、例として、基地局装置ＡからのRRCシグナリングによって、移動局装置Ｂが設定された時間リソース（送信間隔：5slots）で、設定されたチャネル（例えば、斜線で示すPUSCH）を使用して受信品質情報を送信していることを示している（１０２）。また、基地局装置ＡからRRCシグナリングが再度送信されて（１１１）、再設定された送信間隔（送信間隔：3slots）で、再設定された送信チャネル（例えば、網線で示すPUCCH）を使用して受信品質情報を送信していることを示している（１１２）。【００５９】
一般的に、PUSCHのリソース領域は、PUCCHのリソース領域よりも大きいため、送信する情報量のサイズも大きくなる。すなわち、基地局装置Ａは、移動局装置Ｂに対して大きな情報量の受信品質情報を要求する際には、使用するチャネルとしてPUSCHを、小さな情報量の受信品質情報を要求する際には、使用するチャネルとしてPUCCHを設定する。【００６０】
ここで、#slot8、#slot16の動作について説明する。#slot8、#slot16は、基地局装置ＡからRRCシグナリングによって、受信品質情報を送信するように設定されたスロットである。【００６１】
移動局装置Ｂは、基地局装置Ａに対して受信品質情報以外にも、下りリンク制御チャネル（以下、PDCCH（Physical Downlink Control Channel））によって指示されたリソース割当てに応じて、PUSCHを使用して上りリンクデータを送信する。この下りリンク制御チャネル（PDCCH）は、上りリンクに対するデータ送信を許可する信号（L1/L2グラント）である。【００６２】
以後、本実施の形態において、L1/L2グラントとは、上りリンクデータに対するグラントのためのL1/L2グラントを示している。【００６３】
#slot8、#slot16で、L1/L2グラントを受信した移動局装置Ｂは（１０７、１１５）、L1/L2グラントで割り当てられたPUSCHのリソースを使用して、上りリンクデータと受信品質情報とを、同時に基地局装置Ａに対して送信する（１０８、１１６）。【００６４】
図２では、基地局装置Ａから、#slot8、#slot16を制御するタイミングでPDCCHを使用して、L1/L2グラントが移動局装置Ｂに送信され、その信号を受信した移動局装置Ｂが、上りリンクデータと受信品質情報を、PUSCHを使用して同時に基地局装置Ａに対して送信していることを示している。【００６５】
ここで、上りリンクデータと受信品質情報とが同時に送信される際の送信形態について説明する。基地局装置は、移動局装置Ｂが、上りリンクデータと受信品質情報とを同時に送信する際の物理フォーマットを、受信情報パラメータとして変更することができる。【００６６】
例えば、移動局装置Ｂから基地局装置Ａに対して送信されるデータを14OFDMシンボルで表し、その14OFDMシンボル内に、データの復調を行うための伝搬路推定に用いる既知のリファレンスシンボル（パイロット信号）が4OFDM含まれていた場合、残りの10OFDMシンボル内での上りリンクデータと受信品質情報との割合を、受信品質情報パラメータとして変更することができる。一例としては、10OFDMシンボルに対して、受信品質情報が4OFDMシンボル（すなわち、上りリンクデータが6OFDMシンボル）のようなOFDMシンボル数を使用して表すことができるが、上りリンクデータと受信品質情報の物理フォーマットを規定するものであれば、どのように表されてもよい。【００６７】
この例においては、#slot8で、上りリンクデータと事前に割り当てられたPUSCHのリソースで送信しようとしていた受信品質情報の割合（例えば、OFDMシンボル数）の変更、#slot16で、上りリンクデータと事前に割り当てられたPUCCHのリソースで送信しようとしていた受信品質情報の割合（例えば、OFDMシンボル数）の変更を行うことができ、その割合は、受信情報パラメータとして示される。【００６８】
さらに、#slot8、#slot16における基地局装置Ａの動作について説明する。【００６９】
移動局装置Ｂが、L1/L2グラントで割り当てられたPUSCHのリソースを使用して、上りリンクデータと受信品質情報とを同時に送信する際に、事前にRRCシグナリングで割り当てられたリソース（PUSCH、PUCCHのリソース）では、何も送信しない。【００７０】
基地局装置Ａは、L1/L2グラントを送信することにより（１０７）、事前にRRCシグナリング（１０１）で割り当てたリソースで送信する情報がなくなることが事前に分かるため、他の移動局装置が、このリソースを使用して、上りリンクデータや制御データ（例えば、ACK/NACK信号）を送信することができるようにスケジューリングを行う。【００７１】
このスケジューリングを行うことにより、受信品質情報を送信するために事前に確保していたリソースを、他の移動局装置に対して使用することができ、上りリンクリソースをより効率的に使用することができる。【００７２】
図２においては、基地局装置Ａから移動局装置Ｂに対して、上りリンクデータ送信許可信号（L1/L2グラント）が、#slot4、#slot5、#slot8、#slot9、#slot15、#slot16、#slot18で送信されていることを示している。また、基地局装置ＡからのRRCシグナリングによって、#slot3、#slot8、#slot13、#slot16、#slot19が、受信品質情報を送信するスロットとして割り当てられ、移動局装置Ｂから受信品質情報が送信されていることを示している。また、基地局装置Ａからの上りリンクデータ送信許可信号（L1/L2グラント）に対応したスロット（#slot4、#slot5、#slot8、#slot9、#slot15、#slot16、#slot18）で、移動局装置Ｂから基地局装置Ａに対して、上りリンクデータが送信されていることを示している。さらに、移動局装置Ｂから基地局装置Ａに、上りリンクデータ、受信品質情報が送信される際の送信形態が示され、後述するように、#slot8、#slot16では、上りリンクデータ（白抜きで示される矩形）と受信品質情報（斜線、および、網線で示される矩形）が同時に基地局装置に対して送信されていることが、白抜きで示される矩形と、斜線、および、網線で示される矩形が半分ずつ合わさって描くことで概念的に示されている（符号Ａ１、Ｂ１参照）。さらに、各スロットでの動作について説明する。【００７３】
#slot1で、基地局装置Ａは、受信品質送信パラメータ情報と長期的な資源の割り当てとを含むRRCシグナリングを移動局装置Ｂに対して送信する（１０１）。ここでは、例として、受信品質情報を送信する際に使用するチャネルとしてPUSCHが割り当てられ、時間リソース（送信間隔）は5slots間隔（オフセット3slots）が設定されたものとする。また、この際に、基地局装置Ａは、受信品質情報を送信するための上りリンクのチャネル資源（この場合PUSCHのリソースブロック）を、長期間にわたって確保し移動局装置Ｂに割り当て（グラント）しておく（パーシステントスケジューリングと呼ぶ）。  #slot3で、移動局装置Ｂは設定されたチャネル（PUSCH）を使用して受信品質情報を基地局装置Ａに対して送信する（１０２）。#slot4で、基地局装置ＡはL1/L2グラントを送信し（１０３）、その信号を受信した移動局装置Ｂは上りリンクデータを送信する（１０４）。#slot5（１０５、１０６）、#slot9、#slot15（１０９、１１０、１１３、１１４）、#slot18（１１７、１１８）でも同様の処理が行われる。#slot8で、基地局装置はL1/L2グラントを送信し（１０７）、その信号を受信した移動局装置は、上りリンクデータと受信品質情報をL1/L2グラントによって割り当てられたPUSCHのリソースを使用して同時に送信する（１０８）。【００７４】
この例においては#slot4、5、8、9でのデータへの資源割り当て（グラント）はワンショットで行われる（ダイナミックスケジューリング）事を想定している。#slot8では、受信品質情報を送信するためのPUSCHのパーシステントなグラントとデータを送信するためのPUSCHのダイナミックなグラントとが送信形態に示すように混在することになるが、このような場合には、ダイナミックなグラントが優先され、受信品質情報は上りリンクデータと結合された上で、上りリンクデータの為に割り当てられた資源を用いて送信される。またこの場合に、受信品質情報送信の為に事前に確保されていた資源は、他の移動局装置が上りリンクデータや制御データ（例えば、ACK/NACK信号）送信を行う為に解放される。【００７５】
#slot1２で、基地局装置Ａは、受信品質送信パラメータ情報を含むRRCシグナリングを移動局装置Ｂに対して再度送信し（１１１）、受信品質情報の内容や送信方法を再設定する。ここでは、受信品質情報を送信する際に使用するチャネルとしてPUCCHが割り当てられ、時間リソース（送信間隔）は、3slots間隔（オフセット１slot）が設定されたものとする。【００７６】
#slot１3で、移動局装置Ｂは設定されたチャネル（PUCCH）を使用して受信品質情報を基地局装置Ａに対して送信する（１１２）。#slot19でも同様の処理が行われる（１１９）。#slot16で、基地局装置ＡはL1/L2グラントを送信し（１１５）、その信号を受信した移動局装置Ｂは上りリンクデータと受信品質情報を、L1/L2グラントによって割り当てられたPUSCHのリソースを使用して同時に送信する（１１６）。すなわち、RRCシグナリングによって指定され、PUCCHの資源を使用して送信しようとしていた受信品質情報を、上りリンクデータと同時にPUSCHを使用して送信することになる。【００７７】
ここで、基地局装置から移動局装置に送信される受信品質送信パラメータ情報は、下りリンクのＬ１/Ｌ２シグナリングに含まれて送信されてもよい。受信品質送信パラメータ情報を、Ｌ１/Ｌ２シグナリングに含めて送信することにより、迅速に移動局装置へ送信することができる。【００７８】
本発明の第１の実施の形態によれば、基地局装置が、受信品質情報を送信する際に使用する受信品質送信パラメータ情報と長期的な資源割り当てとを、RRCシグナリングに含めて移動局装置Ｂに対して送信することにより、受信品質情報を送信する際に使用するパラメータが基地局装置Ａによって制御される。これにより、受信品質情報の情報量の変化、送信頻度の変化に柔軟に対応した受信品質情報送信のパラメータ設定を行えることができ、効率的な送信制御を実現することができる。【００７９】
（第２の実施形態）
次に、本発明の第２の実施の形態による移動通信システムについて図面を参照しながら説明を行う。図３は、本発明の第２の実施の形態による移動通信システムにおける処理フローである。図３においては、基地局装置から移動局装置に送信される制御信号、移動局装置から基地局装置に送信される受信品質情報、上りリンクデータ、受信品質情報送信形態、および、その処理フローを示している。例として、#slot1〜#slot20までの動作を示している。【００８０】
本実施の形態と第１の実施の形態との相違点は、#slot8において、移動局装置Ｂが送信フォーマット変更要求を含む受信品質情報を、基地局装置Ａに対して送信している点である（１２８）。それ以外のスロットで行われる動作（１２１から１３７）については第１の実施の形態と同様である。【００８１】
図３においては、後述するように、#slot8において、移動局装置Ｂから基地局装置Ａに対して送信される受信品質情報の送信形態として、送信フォーマット変更要求を含む受信品質情報が送信されていることを示している（Ｃ１）。それ以外のL1/L2グラント、受信品質情報、上りリンクデータ、送信形態についても、実施例１で説明したように概念的に示されている。【００８２】
各スロットでの動作について説明する。【００８３】
#slot8において、移動局装置Ｂは、送信フォーマット変更要求を含む受信品質情報を基地局装置Ａに送信する。この送信フォーマット変更要求とは、移動局装置Ｂが、受信品質情報を送信する際に使用するパラメータを変更したいと判断したときに付与される情報である。この判断は、例えば、端末の移動速度の変化や受信状況の変化によって生じる下りリンクデータのチャネル状況の変化が起きたときなどに発生する。【００８４】
移動局装置Ｂから、送信フォーマット変更要求を含む受信品質情報を受信した基地局装置Ａは、自らが制御するセル内の上りリンクリソースを考慮して、受信品質パラメータ情報をRRCシグナリングに含めて送信し（１２９）、パラメータの再設定を行う。【００８５】
上記までで説明してきたように、受信品質情報を送信する際に使用するパラメータは、基地局装置Ａによって制御されるべきである。したがって、例えば、移動局装置Ｂから、大きな情報量の受信品質情報を、高頻度に送信したい送信フォーマット変更要求が受信品質情報に含まれて送信されたとしても、基地局装置Ａが、自らが制御するセル内の上りリンクリソースが不足すると判断した場合には、その送信フォーマット変更要求を受け付けなくてもよい。基地局装置Ａが、送信フォーマット変更要求を受け付けない場合には、何も送信しない、もしくは、前回と同じ受信品質送信パラメータ情報を含んだRRCシグナリングが移動局装置Ｂに対して送信される。【００８６】
処理フローについて詳細について説明する。尚、#slot8以外の各スロットに関しては、第１の実施の形態で説明した処理と同様の処理を行えば良い。【００８７】
#slot8で、下りリンクデータのチャネル状況の変化などによって、受信品質情報を送信する際に使用するパラメータを変更したいと判断した移動局装置Ｂは、送信フォーマット変更要求を含む受信品質情報を、基地局装置Ａに対して送信する（１２８）。その信号を受信した基地局装置Ａは、自らが制御するセル内の上りリンクリソースを考慮して、受信品質パラメータ情報をRRCシグナリングに含めて送信し（１２９）、パラメータの再設定を行う。この際に、自らが制御するセル内の上りリンクリソースが不足すると判断した場合には、移動局装置Ｂからの送信フォーマット要求を受け付けない。【００８８】
ここで（１２８）、この送信フォーマット変更要求は受信品質情報に含める代わりに、移動局装置から基地局装置への上りリンクのＬ１/Ｌ２シグナリング、もしくは、ＲＲＣシグナリングに含めて送信してもよい。Ｌ１/Ｌ２シグナリングに含めて送信することにより、送信フォーマット変更要求を、迅速に基地局装置に対して送信することができる。また、ＲＲＣシグナリングに含めて送信することにより、送信フォーマット変更要求を、より確実性を持って基地局装置に対して送信することができる。【００８９】
また第１の実施の形態でも説明した通り、基地局装置から移動局装置に送信される受信品質送信パラメータ情報は（１２１、１２９）、下りリンクのＬ１/Ｌ２シグナリングに含めて送信してもよい。受信品質送信パラメータ情報を、Ｌ１/Ｌ２シグナリングに含んで送信することにより、迅速に移動局装置へ送信することができる。さらに、基地局装置から移動局への受信品質送信パラメータ情報が変更されたことは、明示的にシグナリングを使用して送信する必要はなく、下りリンクデータの制御信号に含まれるスケジューリング情報（例えば、下りリンクデータの制御信号に含まれるＭＩＭＯ情報など）によって認識することも出来る。【００９０】
以上に説明したように、本発明の第２の実施の形態によれば、受信品質情報を送信する際に使用するパラメータを変更したいと判断した移動局装置が、送信フォーマット変更要求を含む受信品質情報を、基地局装置に対して送信することにより、移動局装置の状況の変化などによる受信品質情報の情報量の変化、送信頻度の変化に対応した効率的な送信制御を実現することができるという利点がある。【００９１】
（第３の実施の形態）
次に、本発明の第３の実施の形態について図面を参照しながら説明を行う。図４は、本発明の第３の実施の形態による移動通信システムにおける基地局装置から移動局装置に送信される制御信号、移動局装置から基地局装置に送信される受信品質情報、上りリンクデータ、受信品質情報送信形態、および、処理フローを示した図である。【００９２】
図２に示す処理フローとの大きな違いは、#slot1において、基地局装置Ａが、受信品質情報パラメータリストと長期的な資源割り当てとを含むRRCシグナリングを、移動局装置Ｂに送信している点である（１４１）。また、#slot2、#slot11で、基地局装置Ａがインデックス指定情報を含むL1/L2シグナリングを、移動局装置に対して送信している点である（１４２、１５０）。一般的に、基地局装置Ａと移動局装置Ｂとの間でやり取りされる信号のうち、L1/L2シグナリングの送信は、RRCシグナリングの送信よりも迅速に行うことができる。すなわち、基地局装置Ａが、L1/L2シグナリングを使用して移動局装置Ｂを制御することにより、受信品質情報を送信する際に使用するパラメータを細かな頻度で設定することができる。【００９３】
図４においては、後述するように、#slot2、#slot11において、基地局装置Ａから移動局装置Ｂに対してインデックス指定情報を含むL1/L2グラントが送信されていることを示している（符号Ｄ１、Ｅ１参照）。それ以外のL1/L2グラント、受信品質情報、上りリンクデータ、送信形態についても、実施例１で説明したように概念的に示されている。【００９４】
各スロットでの動作について説明する。【００９５】
まず、#slot1における基地局装置Ａの動作について説明する。#slot1で、基地局装置Ａは、受信品質情報パラメータリストと長期的な資源割り当てを含むRRCシグナリングとを、移動局装置Ｂに対して送信する。ここで、受信品質情報パラメータリストとは、受信品質情報を送信する際に使用するパラメータの組み合わせを複数個記載したリストである。【００９６】
図５は、受信品質情報パラメータリストの一構成例を示す図である。図５に示すように、受信品質情報パラメータリストには、受信品質情報を送信する際に使用する送信チャネル（例えば、PUCCH、PUSCH）、上りリンクデータとPUSCHのリソースで送信しようとしていた受信品質情報を同時に送信する際の割合（OFDMシンボル数）、上りリンクデータとPUCCHのリソースで送信しようとしていた受信品質情報を同時に送信する際の割合（OFDMシンボル数）、受信品質情報を測定する測定間隔（例えば、測定間隔：3、5、10、20、50、100 slots）、移動局装置が受信品質情報を測定する周波数分解能（例えば、周波数粒度：25リソースブロック、50リソースブロック、Full（全周波数帯域）、5リソースブロック、10リソースブロック、20リソースブロック）、MIMO通信時における移動局装置Ｂが受信できるストリームの数（例えば、RANK1、2、4のうちのいずれか）、open loopかclosed loopかの情報、MIMOのモード（例えば、Tx Diversity、SU-MIMO、MU-MIMOなど）の情報が含まれる。受信品質情報パラメータリストは、これらのパラメータの組み合わせに対応して、それぞれインデックス（図５では１から６まで）が付与されている。【００９７】
図４に戻り、#slot2における基地局装置の動作について説明する。#slot2で、基地局装置Ａは、インデックス指定情報を含むL1/L2シグナリングを、移動局装置Ｂに対して送信する（１４２）。ここで、インデックス指定情報とは、受信品質情報パラメータリストに記載されている複数個の受信品質パラメータ情報の組み合わせの中から、1つのパラメータの組み合わせを指定する情報を示している。【００９８】
#slot2で、インデックス指定情報を含むL1/L2シグナリングを受信した移動局装置Ｂは、指定されたインデックス（例えば、インデックス１）に対応するパラメータで受信品質情報を送信する（１４４）。#slot11においても、基地局装置Ａから、インデックス指定情報を含むL1/L2シグナリングが送信され（１５０）、この信号を受信した移動局装置Ｂは、設定されたインデックス（例えば、インデックス5）に対応するパラメータで受信品質情報を送信する（１５１）。【００９９】
ここで、このインデックス指定情報は、#slot1で送信されるRRCシグナリングに含まれていてもよい。#slot1で送信されるRRCシグナリングにインデックス指定情報を含むことで、最初にL1/L2シグナリングで行うインデックスの指定（この例では、#slot2で行われる）を省略することができ、RRCシグナリングだけで、受信品質情報パラメータリストの送信、および、インデックスの指定を行うことができる。【０１００】
また、図５に示す受信品質情報パラメータリストは事前に仕様等で定義されても良い。受信品質情報パラメータリストを事前に定義し、基地局装置、移動局装置の間で既知としておくことにより、ＲＲＣシグナリングに含めて送信する必要がなくなり、インデックス指定を含んだＬ１／Ｌ２シグナリングを送信するだけで、インデックスの指定を行うことができる。尚、“事前に定義される”の意味は、“仕様によって定義される”こと、すなわち、パラメータリストの中身が定義され、全ての基地局、移動局装置の間で既知となることを意味する。パラメータリストが仕様によって定義され、定義された内容が、基地局装置、移動局装置のメモリなどに予め保持される”ことを意味する。【０１０１】
以上に示すように、本実施の形態によれば、基地局装置Ａが、受信品質情報パラメータリストを含むRRCシグナリングを送信し、さらに、受信品質情報パラメータリストのインデックスを指定するインデックス指定情報を含むL1/L2シグナリングを送信し、その信号を受信した移動局装置Ｂは指定されたインデックスに対応したパラメータで受信品質情報を基地局装置Ａに対して送信することにより、細かな頻度で迅速に受信品質情報を送信する際のパラメータを変更することができる。【０１０２】
これにより、受信品質情報の情報量の変化、送信頻度の変化に柔軟に対応した受信品質情報送信のパラメータ設定を行えることができ、効率的な送信制御を実現することができるという利点がある。【０１０３】
（第４の実施の形態）
図６は、本発明の第４の実施の形態による移動局通信システムにおける、基地局装置から移動局装置に送信される制御信号、移動局装置から基地局装置に送信される受信品質情報、上りリンクデータ、受信品質情報送信形態、および、処理フローを示したものである。【０１０４】
第３の実施の形態における図４との大きな相違点は、#slot8において、移動局装置Ｂがインデックス変更要求を含む受信品質情報を、基地局装置Ａに対して送信している点（１６９）である。それ以外のスロットで行われる動作については第３の実施の形態で示した通りである。【０１０５】
図６においては、後述するように、#slot8において、移動局装置Ｂから基地局装置Ａに対して送信される受信品質情報の送信形態として、インデックス変更要求を含む受信品質情報が送信されていることを示している（符号Ｆ１参照）。それ以外のL1/L2グラント、受信品質情報、上りリンクデータ、送信形態についても、実施例１、実施例３で説明したように概念的に示されている。【０１０６】
各スロットについて、詳細に説明する。【０１０７】
#slot8において、移動局装置Ｂは、インデックス変更要求を含む受信品質情報を基地局装置Ａに送信する。このインデックス変更要求とは、移動局装置Ｂが、インデックス指定情報で指定されているパラメータを変更したいと判断したときに付与される情報である。この判断は、例えば、端末の移動速度の変化や受信状況の変化によって生じる下りリンクデータのチャネル状況の変化が起きたときなどに行われる。【０１０８】
移動局装置Ｂから、インデックス変更要求を含む受信品質情報を受信した基地局装置Ａは、自らが制御するセル内の上りリンクリソースなどを考慮して、インデックス指定情報をL1/L2シグナリングに含めて送信し（１７０）、インデックスの再設定を行う。【０１０９】
上記第２の実施の形態でも説明したように、受信品質情報を送信する際に使用するパラメータは、基地局装置Ａによって制御されるべきである。したがって、例えば、移動局装置Ｂから、大きな情報量の受信品質情報を高頻度に送信したいインデックス変更要求が受信品質情報に含まれて送信されたとしても、基地局装置Ａが、自らが制御するセル内の上りリンクリソースが不足すると判断した場合には、そのインデックス変更要求を受け付けなくてもよい。基地局装置Ａが、インデックス変更要求を受け付けない場合には、何も送信しない、もしくは、前回と同じインデックス情報を含んだL1/L2シグナリングが移動局装置Ｂに対して送信される。【０１１０】
図６において、#slot8以外の各スロットに関しては、図４で説明した処理と同様の処理を行う。#slot8で、下りリンクデータのチャネル状況の変化などによって、設定されているインデックスを変更したいと判断した移動局装置Ｂは、インデックス変更要求を含む受信品質情報を、基地局装置Ａに対して送信する（１６９）。その信号を受信した基地局装置Ａは、自らが制御するセル内の上りリンクリソースを考慮して、インデックス指定情報をL1/L2シグナリングに含めて送信し（１７０）、使用するパラメータの再設定を行う。この際に、自らが制御するセル内の上りリンクリソースが不足すると判断した場合には、移動局装置Ｂからのインデックス変更要求を受け付けない。【０１１１】
ここで、このインデックス変更要求１６９は受信品質情報に含めることなく、移動局装置から基地局装置への上りリンクのＬ１/Ｌ２シグナリング、もしくは、ＲＲＣシグナリングに含めて送信してもよい。Ｌ１/Ｌ２シグナリングに含めて送信することにより、インデックス変更要求を、迅速に基地局装置に対して送信することができる。また、ＲＲＣシグナリングに含めて送信することにより、インデックス変更要求を、より確実性を持って基地局装置に対して送信することができる。【０１１２】
本実施の形態によれば、受信品質情報を送信する際に使用する受信情報パラメータリストのインデックスを変更したいと判断した移動局装置が、インデックス変更要求を含む受信品質情報を、基地局装置に対して送信することにより、移動局装置の状況の変化などによる受信品質情報の情報量の変化、送信頻度の変化に対応した効率的な送信制御を実現することができる。【０１１３】
以上、本発明の各実施の形態について図面を参照して詳述してきたが、具体的な構成はこの実施形態に限られるものではなく、この発明の要旨を逸脱しない範囲の設計等も請求の範囲に含まれる。
【産業上の利用可能性】
【０１１４】
本発明は、移動通信システムに利用可能である。
【図１Ａ】
2008153081.tif 000003
【図１Ｂ】
2008153081.tif 000004
【図２】
2008153081.tif 000005
【図３】
2008153081.tif 000006
【図４】
2008153081.tif 000007
【図５】
2008153081.tif 000008
【図６】
2008153081.tif 000009
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
（削除）
【請求項２７】
（削除）
【請求項２８】
（削除）
【請求項２９】
（削除）
【請求項３０】
（削除）
【請求項３１】
（削除）
【請求項３２】
（削除）
【請求項３３】
（削除）
【請求項３４】
（削除）
【請求項３５】
（削除）
【請求項３６】
（削除）
【請求項３７】
（削除）
【請求項３８】
（削除）
【請求項３９】
（削除）
【請求項４０】
（削除）
【請求項４１】
（削除）
【請求項４２】
（削除）
【請求項４３】
（削除）
【請求項４４】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を前記物理上りリンク共用チャネルを使用して送信するための送信間隔を無線資源制御信号に含めて前記移動局装置へ送信し、
前記チャネル状態情報を前記物理上りリンク共用チャネルを使用して送信することを設定する情報を前記上りリンクデータ送信許可信号に含めて前記移動局装置へ送信し、
前記移動局装置は、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する
ことを特徴とする移動通信システム。
【請求項４５】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を第１の物理上りリンク共用チャネルを使用して送信するための送信間隔を無線資源制御信号に含めて前記移動局装置へ送信し、
前記上りリンクデータ送信許可信号を前記移動局装置へ送信し、
前記移動局装置は、
前記送信間隔に従って、前記チャネル状態情報を第１の物理上りリンク共用チャネルを使用して周期的に前記基地局装置へ送信し、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する
ことを特徴とする移動通信システム。
【請求項４６】
上りリンクデータ送信許可信号で割り当てられた物理上りリンク共用チャネルを使用して、上りリンクデータを基地局装置へ送信する移動局装置であって、
チャネル状態情報を前記物理上りリンク共用チャネルを使用して送信するための送信間隔を含んだ無線資源制御信号を前記基地局装置から受信する手段と、
前記チャネル状態情報を前記物理上りリンク共用チャネルを使用して送信することを設定する情報を含んだ前記上りリンクデータ送信許可信号を前記基地局装置から受信する手段と、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する手段と、
を備えることを特徴とする移動局装置。
【請求項４７】
上りリンクデータ送信許可信号で割り当てられた物理上りリンク共用チャネルを使用して、上りリンクデータを基地局装置へ送信する移動局装置であって、
チャネル状態情報を第１の物理上りリンク共用チャネルを使用して送信するための送信間隔を含んだ無線資源制御信号を前記基地局装置から受信する手段と、
前記上りリンクデータ送信許可信号を前記基地局装置から受信する手段と、
前記送信間隔に従って、前記チャネル状態情報を第１の物理上りリンク共用チャネルを使用して周期的に前記基地局装置へ送信する手段と、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する手段と、
を備えることを特徴とする移動局装置。
【請求項４８】
上りリンクデータ送信許可信号で割り当てられた物理上りリンク共用チャネルを使用して、上りリンクデータを基地局装置へ送信する移動局装置における通信方法であって、
チャネル状態情報を前記物理上りリンク共用チャネルを使用して送信するための送信間隔を含んだ無線資源制御信号を前記基地局装置から受信し、
前記チャネル状態情報を前記物理上りリンク共用チャネルを使用して送信することを設定する情報を含んだ前記上りリンクデータ送信許可信号を前記基地局装置から受信し、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する
ことを特徴とする通信方法。
【請求項４９】
上りリンクデータ送信許可信号で割り当てられた物理上りリンク共用チャネルを使用して、上りリンクデータを基地局装置へ送信する移動局装置における通信方法であって、
チャネル状態情報を第１の物理上りリンク共用チャネルを使用して送信するための送信間隔を含んだ無線資源制御信号を前記基地局装置から受信し、
前記上りリンクデータ送信許可信号を前記基地局装置から受信し、
前記送信間隔に従って、前記チャネル状態情報を第１の物理上りリンク共用チャネルを使用して周期的に前記基地局装置へ送信し、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する
ことを特徴とする通信方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を前記物理上りリンク共用チャネルを使用して送信するための送信間隔を無線資源制御信号に含めて前記移動局装置へ送信し、
前記チャネル状態情報を前記物理上りリンク共用チャネルを使用して送信することを設定する情報を前記上りリンクデータ送信許可信号に含めて前記移動局装置へ送信し、
前記移動局装置は、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する
ことを特徴とする移動通信システム。
【請求項２】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を第１の物理上りリンク共用チャネルを使用して送信するための送信間隔を無線資源制御信号に含めて前記移動局装置へ送信し、
前記上りリンクデータ送信許可信号を前記移動局装置へ送信し、
前記移動局装置は、
前記送信間隔に従って、前記チャネル状態情報を第１の物理上りリンク共用チャネルを使用して周期的に前記基地局装置へ送信し、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する
ことを特徴とする移動通信システム。
【請求項３】
上りリンクデータ送信許可信号で割り当てられた物理上りリンク共用チャネルを使用して、上りリンクデータを基地局装置へ送信する移動局装置であって、
チャネル状態情報を前記物理上りリンク共用チャネルを使用して送信するための送信間隔を含んだ無線資源制御信号を前記基地局装置から受信する手段と、
前記チャネル状態情報を前記物理上りリンク共用チャネルを使用して送信することを設定する情報を含んだ前記上りリンクデータ送信許可信号を前記基地局装置から受信する手段と、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する手段と、
を備えることを特徴とする移動局装置。
【請求項４】
上りリンクデータ送信許可信号で割り当てられた物理上りリンク共用チャネルを使用して、上りリンクデータを基地局装置へ送信する移動局装置であって、
チャネル状態情報を第１の物理上りリンク共用チャネルを使用して送信するための送信間隔を含んだ無線資源制御信号を前記基地局装置から受信する手段と、
前記上りリンクデータ送信許可信号を前記基地局装置から受信する手段と、
前記送信間隔に従って、前記チャネル状態情報を第１の物理上りリンク共用チャネルを使用して周期的に前記基地局装置へ送信する手段と、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する手段と、
を備えることを特徴とする移動局装置。
【請求項５】
上りリンクデータ送信許可信号で割り当てられた物理上りリンク共用チャネルを使用して、上りリンクデータを基地局装置へ送信する移動局装置における通信方法であって、
チャネル状態情報を前記物理上りリンク共用チャネルを使用して送信するための送信間隔を含んだ無線資源制御信号を前記基地局装置から受信し、
前記チャネル状態情報を前記物理上りリンク共用チャネルを使用して送信することを設定する情報を含んだ前記上りリンクデータ送信許可信号を前記基地局装置から受信し、
前記チャネル状態情報を前記物理上りリンク共用チャネルを使用して送信することが設定された場合には、前記送信間隔に従って、前記チャネル状態情報を前記上りリンク共用チャネルを使用して周期的に前記基地局装置へ送信する
ことを特徴とする通信方法。
【請求項６】
上りリンクデータ送信許可信号で割り当てられた物理上りリンク共用チャネルを使用して、上りリンクデータを基地局装置へ送信する移動局装置における通信方法であって、
チャネル状態情報を第１の物理上りリンク共用チャネルを使用して送信するための送信間隔を含んだ無線資源制御信号を前記基地局装置から受信し、
前記上りリンクデータ送信許可信号を前記基地局装置から受信し、
前記送信間隔に従って、前記チャネル状態情報を第１の物理上りリンク共用チャネルを使用して周期的に前記基地局装置へ送信し、
前記チャネル状態情報を第１の物理上りリンク共用チャネルを使用して送信する際に、前記上りリンクデータ送信許可信号によって第２の物理上りリンク共用チャネルが割り当てられている場合には、前記上りリンクデータ送信許可信号によって割り当てられた第２の物理上りリンク共用チャネルを使用して、前記チャネル状態情報を前記基地局装置へ送信する
ことを特徴とする通信方法。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を送信するための前記物理上りリンク共用チャネルを、無線資源制御信号を使用して前記移動局装置へ割り当て、
前記移動局装置は、
前記チャネル状態情報を前記物理上りリンク共用チャネルを使用して周期的に前記基地局装置へ送信することを特徴とする移動通信システム。
【請求項２】
前記基地局装置は、
前記移動局装置が、前記チャネル状態情報を送信するための物理上りリンク制御チャネルを、無線資源制御信号を使用して前記移動局装置へ割り当て、
前記移動局装置は、
前記物理上りリンク制御チャネルが割り当てられている場合には、前記チャネル状態情報を前記物理上りリンク制御チャネルを使用して周期的に前記基地局装置へ送信し、
前記物理上りリンク共用チャネルが割り当てられている場合には、前記チャネル状態情報を前記物理上りリンク共用チャネルを使用して周期的に前記基地局装置へ送信する
ことを特徴とする請求項１に記載の移動通信システム。
【請求項３】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を前記物理上りリンク共用チャネルを使用して送信するための第１の送信間隔を含む無線資源制御信号を前記移動局装置へ送信し、
前記チャネル状態情報を前記物理上りリンク共用チャネルを使用して送信することを設定する情報を含む前記上りリンクデータ送信許可信号を前記移動局装置へ送信し、
前記移動局装置は、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴とする移動通信システム。
【請求項４】
前記基地局装置は、
前記移動局装置が、前記チャネル状態情報を物理上りリンク制御チャネルを使用して送信するための第２の送信間隔を含む無線資源制御信号を前記移動局装置へ送信し、
前記移動局装置は、
前記第２の送信間隔に従って、前記チャネル状態情報を前記物理上りリンク制御チャネルを使用して周期的に前記基地局装置へ送信し、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴とする請求項３に記載の移動通信システム。
【請求項５】
上りリンクデータ送信許可信号で割り当てられた物理上りリンク共用チャネルを使用して、移動局装置が上りリンクデータを基地局装置へ送信する移動通信システムであって、
前記基地局装置は、
前記移動局装置が、チャネル状態情報を第１のリソースの前記物理上りリンク共用チャネルを使用して送信するための送信間隔を含む無線資源制御信号を前記移動局装置へ送信し、
前記上りリンクデータ送信許可信号を前記移動局装置へ送信し、
前記移動局装置は、
前記送信間隔に従って、前記チャネル状態情報を前記第１のリソースの前記物理上りリンク共用チャネルを使用して周期的に前記基地局装置へ送信し、
前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信することを特徴とする移動通信システム。
【請求項６】
上りリンクデータ送信許可信号で割り当てられた物理上りリンク共用チャネルを使用して、移動局装置が上りリンクデータを基地局装置へ送信する移動通信システムにおける基地局装置であって、
前記移動局装置が、チャネル状態情報を前記物理上りリンク共用チャネルを使用して送信するための送信間隔を含む無線資源制御信号を前記移動局装置へ送信する手段と、
前記チャネル状態情報を前記物理上りリンク共用チャネルを使用して送信することを設定する情報を含む前記上りリンクデータ送信許可信号を前記移動局装置へ送信する手段と、を備えることを特徴とする基地局装置。
【請求項７】
上りリンクデータ送信許可信号で割り当てられた物理上りリンク共用チャネルを使用して、移動局装置が上りリンクデータを基地局装置へ送信する移動通信システムにおける移動局装置であって、
チャネル状態情報を送信するための前記物理上りリンク共用チャネルを割り当てる無線資源制御信号を前記基地局装置から受信する手段と、
前記チャネル状態情報を前記物理上りリンク共用チャネルを使用して周期的に前記基地局装置へ送信する手段と、を備えることを特徴とする移動局装置。
【請求項８】
前記移動局装置は、
前記チャネル状態情報を送信するための物理上りリンク制御チャネルを割り当てる無線資源制御信号を前記基地局装置から受信する手段と、
前記物理上りリンク制御チャネルが割り当てられている場合には、前記チャネル状態情報を前記物理上りリンク制御チャネルを使用して周期的に前記基地局装置へ送信する手段と、
前記物理上りリンク共用チャネルが割り当てられている場合には、前記チャネル状態情報を前記物理上りリンク共用チャネルを使用して周期的に前記基地局装置へ送信する手段と、を備えることを特徴とする請求項７に記載の移動局装置。
【請求項９】
上りリンクデータ送信許可信号で割り当てられた物理上りリンク共用チャネルを使用して、移動局装置が上りリンクデータを基地局装置へ送信する移動通信システムにおける移動局装置であって、
チャネル状態情報を前記物理上りリンク共用チャネルを使用して送信するための第１の送信間隔を含む無線資源制御信号を前記基地局装置から受信する手段と、
前記チャネル状態情報を前記物理上りリンク共用チャネルを使用して送信することを設定する情報を含む前記上りリンクデータ送信許可信号を前記基地局装置から受信する手段と、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信する手段と、を備えることを特徴とする移動局装置。
【請求項１０】
前記移動局装置は、
前記チャネル状態情報を物理上りリンク制御チャネルを使用して送信するための第２の送信間隔を含む無線資源制御信号を前記基地局装置から受信する手段と、
前記第２の送信間隔に従って、前記チャネル状態情報を前記物理上りリンク制御チャネルを使用して周期的に前記基地局装置へ送信する手段と、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信する手段と、を備えることを特徴とする請求項９に記載の移動局装置。
【請求項１１】
上りリンクデータ送信許可信号で割り当てられた物理上りリンク共用チャネルを使用して、移動局装置が上りリンクデータを基地局装置へ送信する移動通信システムにおける移動局装置であって、
チャネル状態情報を第１のリソースの前記物理上りリンク共用チャネルを使用して送信するための送信間隔を含む無線資源制御信号を前記基地局装置から受信する手段と、
前記上りリンクデータ送信許可信号を前記基地局装置から受信する手段と、
前記送信間隔に従って、前記チャネル状態情報を前記第１のリソースの前記物理上りリンク共用チャネルを使用して周期的に前記基地局装置へ送信する手段と、
前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信する手段と、を備えることを特徴とする移動局装置。
【請求項１２】
上りリンクデータ送信許可信号で割り当てられた物理上りリンク共用チャネルを使用して、移動局装置が上りリンクデータを基地局装置へ送信する移動通信システムにおける基地局装置の通信方法であって、
前記移動局装置が、チャネル状態情報を前記物理上りリンク共用チャネルを使用して送信するための送信間隔を含む無線資源制御信号を前記移動局装置へ送信し、
前記チャネル状態情報を前記物理上りリンク共用チャネルを使用して送信することを設定する情報を前記上りリンクデータ送信許可信号に含めて前記移動局装置へ送信することを特徴とする通信方法。
【請求項１３】
上りリンクデータ送信許可信号で割り当てられた物理上りリンク共用チャネルを使用して、移動局装置が上りリンクデータを基地局装置へ送信する移動通信システムにおける移動局装置の通信方法であって、
チャネル状態情報を送信するための前記物理上りリンク共用チャネルを割り当てる無線資源制御信号を前記基地局装置から受信し、
前記チャネル状態情報を前記物理上りリンク共用チャネルを使用して周期的に前記基地局装置へ送信することを特徴とする通信方法。
【請求項１４】
前記移動局装置は、
前記チャネル状態情報を送信するための物理上りリンク制御チャネルを割り当てる無線資源制御信号を前記基地局装置から受信し、
前記物理上りリンク制御チャネルが割り当てられている場合には、前記チャネル状態情報を前記物理上りリンク制御チャネルを使用して周期的に前記基地局装置へ送信し、
前記物理上りリンク共用チャネルが割り当てられている場合には、前記チャネル状態情報を前記物理上りリンク共用チャネルを使用して周期的に前記基地局装置へ送信する
ことを特徴とする請求項１３に記載の通信方法。
【請求項１５】
上りリンクデータ送信許可信号で割り当てられた物理上りリンク共用チャネルを使用して、移動局装置が上りリンクデータを基地局装置へ送信する移動通信システムにおける移動局装置の通信方法であって、
チャネル状態情報を前記物理上りリンク共用チャネルを使用して送信するための第１の送信間隔を含む無線資源制御信号を前記基地局装置から受信し、
前記チャネル状態情報を前記物理上りリンク共用チャネルを使用して送信することを設定する情報を含む前記上りリンクデータ送信許可信号を前記基地局装置から受信し、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴とする通信方法。
【請求項１６】
前記移動局装置は、
前記チャネル状態情報を物理上りリンク制御チャネルを使用して送信するための第２の送信間隔を含む無線資源制御信号を前記基地局装置から受信し、
前記第２の送信間隔に従って、前記チャネル状態情報を前記物理上りリンク制御チャネルを使用して周期的に前記基地局装置へ送信し、
前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴とする請求項１５に記載の通信方法。
【請求項１７】
上りリンクデータ送信許可信号で割り当てられた物理上りリンク共用チャネルを使用して、移動局装置が上りリンクデータを基地局装置へ送信する移動通信システムにおける移動局装置の通信方法であって、
チャネル状態情報を第１のリソースの前記物理上りリンク共用チャネルを使用して送信するための送信間隔を含む無線資源制御信号を前記基地局装置から受信し、
前記上りリンクデータ送信許可信号を前記基地局装置から受信し、
前記送信間隔に従って、前記チャネル状態情報を前記第１のリソースの前記物理上りリンク共用チャネルを使用して周期的に前記基地局装置へ送信し、
前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信することを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、受信品質情報を測定、送信する移動通信システム、基地局装置、移動局装置及び移動通信方法に関する。
【背景技術】
【０００２】
3GPP (3rd Generation Partnership Project)は、W-CDMA（Wideband-Code Division Multiple Access）とGSM（Global System for Mobile Communications）を発展させたネットワークを基本した携帯電話システムの仕様を検討・作成を行うプロジェクトである。3GPPではW-CDMA方式が第3世代セルラー移動通信方式として標準化され、順次サービスが開始されている。また、通信速度を更に上げたHSDPA(High-Speed Downlink Packet Access)も標準化され、サービスが開始されている。3GPPでは、第3世代無線アクセス技術の進化（Evolved Universal Terrestrial Radio Access: 以下、E-UTRAと称する）が検討されている。
【０００３】
E-UTRAにおけるダウンリンク通信方式として、互いに直交するサブキャリアを用いてユーザ多重化を行うOFDMA（Orthogonal Frequency Multiple Access）方式が提案されている。また、OFDMA方式において、チャネル符号化等の適応無線リンク制御（リンクアダプテーション：Link Adaptation）に基づく適応変復調・誤り訂正方式（AMCS：Adaptive Modulation and Coding Scheme）といった技術が適用されている。AMCSとは、高速パケットデータ伝送を効率的に行うために、各移動局装置の伝播路状況に応じて、誤り訂正方式、誤り訂正の符号化率、データ変調多値数などの無線伝送パラメータ（以下、AMCモードと称する。）を切り替える方式である。例えば、データ変調については、伝播路状況が良好になるに従って、QPSK（Quadrature Phase Shift Keying）変調から、16QAM（QuadratureAmplitude Modulation）変調、64QAM変調など、より高い変調効率の多値変調方式に切り替えることで、移動通信システムの最大スループットを増大させることができる。
【０００４】
OFDMAにおいて、通信可能な領域を物理的にサブキャリアに対応する周波数領域と時間領域において分割することができる。この分割領域をいくつかにまとめたものはリソースブロックと呼ばれ、ひとつ、または、いくつかのリソースブロックを各移動局装置へ割り振り、複数の移動局装置を多重化した通信が行われる。基地局装置と各移動局装置とが、その要求に応じた最適な品質・速度での通信を行うためには、各移動局装置における各サブキャリアに対応する周波数帯の受信品質や移動局装置における通信速度の要求を考慮したリソースブロック割り当ておよび伝送方式の決定が必要である。伝送方式やスケジューリングは基地局装置が行うため、この要求を実現するために、基地局装置は各移動局装置から受信品質のフィードバックを受信することが必要となる。
【０００５】
また、E-UTRAにおいては通信路容量を増大するために、MIMO（Multiple Input Multiple Output）を利用したSDM（Space Division Multiplexing：空間多重技術）もしくはSFBC（Space-Frequency Block Diversity）、CDD（Cyclic Delay Diversity）といった送信ダイバーシティの利用が提案されている。MIMOは多入力・多出力システムまたは技術の総称であり、送信側、受信側に複数のアンテナを用いて、電波の入出力の分岐数を複数にして伝送することを特徴とする。MIMOを利用すると、マルチパスの影響で空間として複数の伝播路を形成し複数の情報を多重化して送信すること、複数の送信アンテナの電力を受信側で合成し、受信利得を得ることが可能となる。E-UTRAでは、MIMOによるSDMおよび送信ダイバーシティの利用が想定されており、どの方式によって通信を行うかは基地局装置における受信品質を考慮し、基地局装置が決定しなければならない。また、ダウンリンクにおけるSDMの利用時については、各アンテナから送信される複数ストリームの情報を正しく分離ために、予め送信信号系列を前処理する（これをプレコーディングと称する）ことが検討されている。プレコーディングの情報は、移動局装置が推定した伝播路情報を元に算出されるものであり、移動局装置から基地局装置にプレコーディング情報をフィードバックしなければならない。
【０００６】
このように、最適な品質での通信を実現するために、各移動局装置から基地局装置通信路へ、様々な情報をフィードバックすることが必要とされている。この受信品質情報のビット数やフォーマットは、情報の粒度や質により様々でなる。一例として、前述のリソースブロックの割り当てにおける最適化のための各サブキャリアにおける下り回線状態の受信品質を示す情報について、最適な周波数領域を割り当てるためには各サブキャリアにおけるチャネル状態（周波数特性、すなわち、周波数に依存する伝送損失等の特性）を計測し、各チャネル状態を量子化した基地局装置にフィードバックする必要がある（下記特許文献１）。このチャネル情報を表現するには多くの情報量が要求され、チャネル状況の変化に応じ、頻度を変えて受信品質情報を基地局装置に送信しなければならない。
【０００７】
一方で、AMCモードを基地局装置にフィードバックする場合においては、変調方式（64QAM, 16QAM, QPSK）と符号化率（R=1/3,P=1/4など）を表現する少ない情報量のみでよい。
【０００８】
この受信品質情報を行うアップリンクのチャネルとして、E-UTRAでは、PUCCH（Physical Uplink Control Channel：物理上りリンク制御チャネル）を使用することが検討されてきた。PUCCHは、E-UTRAのリンクを維持する為のチャネルであって、ACK/NACKと呼ばれる信号と、受信品質情報を表す信号の2種類の信号を多重化して伝送するための物理チャネルである。
【０００９】
これらの信号のうちACK/NACK信号は下りリンクで伝送されたデータチャネルが正しく受信できたか否かを移動局装置から基地局装置通知する為の信号であり、受信品質情報は、下りリンクの伝送方式を制御する為に基地局装置に提供される下りリンクのチャネル状況を報告する信号である。
【００１０】
上述してきたように、移動局装置から基地局装置に送信される受信品質情報には様々な種類があり、送信される情報量のサイズ、移動局装置から基地局装置への送信頻度などの要求がそれぞれ異なっている。
【００１１】
この点に関し、下記非特許文献１では、移動局装置から基地局装置へ受信品質情報を送信する際に、異なる受信品質情報の要求を持つサービスの種類によって、受信品質情報をPUCCH、もしくは、PUSCH（Physical Uplink Shared Channel：物理上りリンク共用チャネル）を使用して受信品質情報を送信しようとする提案がなされている。PUSCHは、通常のデータを送信するために使用されるチャネルであり、PUCCHよりも多くの情報量を送信することができるチャネルである。
【先行技術文献】
【特許文献】
【００１２】
【特許文献１】特開２００５−１３０４９１号公報
【非特許文献】
【００１３】
【非特許文献１】"CQI handling during DRX"、3GPP、TSG RAN WG2 Meeting #58、R2-071901、2007年5月
【発明の開示】
【発明が解決しようとする課題】
【００１４】
しかしながら、上記のような従来の技術では、移動局装置から基地局装置に対して受信品質情報をPUCCH、もしくは、PUSCHで送信する際に、基地局装置がどのような制御情報を用いて移動局装置の制御を行い、さらに、基地局装置と移動局装置との間でどのようなやり取りが行われて受信品質情報の送信が行われるに関する具体的な記載はない。
【００１５】
送信される情報量のサイズ、送信頻度の異なる受信品質情報送信の制御は、基地局装置が制御しなければならない。各移動局装置が、それぞれの判断で情報量の大きな受信品質情報を高頻度に送信しては、セル内の上りリンクリソースが不足してしまい、また、情報量の小さな受信品質情報を低頻度に送信しては、上りリンクリソースに無駄が生じてしまうためである。
【００１６】
すなわち、移動局装置から基地局装置に対する受信品質情報の送信において、基地局装置からどのような制御情報を用いて移動局装置の制御を行い、基地局装置と移動局装置の間でどのようなやり取りを行って受信品質情報の送信を行うかが重要な課題であり、受信品質情報の情報量、送信頻度を考慮した、効率的な送信制御方法が必要とされる。
【００１７】
本発明は、上記事情に鑑みてなされたものであり、その目的は、受信品質情報の情報量、送信頻度に柔軟に対応した、効率的な送信制御を実現する移動通信システム、基地局装置、移動局装置を提供することにある。
【課題を解決するための手段】
【００１８】
本発明の一観点によれば、上りリンクデータ送信許可信号で割り当てられた物理上りリンク共用チャネルを使用して、移動局装置が上りリンクデータを基地局装置へ送信する移動通信システムであって、前記基地局装置は、前記移動局装置が、チャネル状態情報を送信するための前記物理上りリンク共用チャネルを、無線資源制御信号を使用して前記移動局装置へ割り当て、前記移動局装置は、前記チャネル状態情報を前記物理上りリンク共用チャネルを使用して周期的に前記基地局装置へ送信することを特徴としている。
【００１９】
また、前記基地局装置は、前記移動局装置が、前記チャネル状態情報を送信するための物理上りリンク制御チャネルを、無線資源制御信号を使用して前記移動局装置へ割り当て、前記移動局装置は、前記物理上りリンク制御チャネルが割り当てられている場合には、前記チャネル状態情報を前記物理上りリンク制御チャネルを使用して周期的に前記基地局装置へ送信し、前記物理上りリンク共用チャネルが割り当てられている場合には、前記チャネル状態情報を前記物理上りリンク共用チャネルを使用して周期的に前記基地局装置へ送信することを特徴としている。
【００２０】
また、上りリンクデータ送信許可信号で割り当てられた物理上りリンク共用チャネルを使用して、移動局装置が上りリンクデータを基地局装置へ送信する移動通信システムであって、前記基地局装置は、前記移動局装置が、チャネル状態情報を前記物理上りリンク共用チャネルを使用して送信するための第１の送信間隔を含む無線資源制御信号を前記移動局装置へ送信し、前記チャネル状態情報を前記物理上りリンク共用チャネルを使用して送信することを設定する情報を含む前記上りリンクデータ送信許可信号を前記移動局装置へ送信し、前記移動局装置は、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴としている。
【００２１】
また、前記基地局装置は、前記移動局装置が、前記チャネル状態情報を物理上りリンク制御チャネルを使用して送信するための第２の送信間隔を含む無線資源制御信号を前記移動局装置へ送信し、前記移動局装置は、前記第２の送信間隔に従って、前記チャネル状態情報を前記物理上りリンク制御チャネルを使用して周期的に前記基地局装置へ送信し、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴としている。
【００２２】
また、上りリンクデータ送信許可信号で割り当てられた物理上りリンク共用チャネルを使用して、移動局装置が上りリンクデータを基地局装置へ送信する移動通信システムであって、前記基地局装置は、前記移動局装置が、チャネル状態情報を第１のリソースの前記物理上りリンク共用チャネルを使用して送信するための送信間隔を含む無線資源制御信号を前記移動局装置へ送信し、前記上りリンクデータ送信許可信号を前記移動局装置へ送信し、前記移動局装置は、前記送信間隔に従って、前記チャネル状態情報を前記第１のリソースの前記物理上りリンク共用チャネルを使用して周期的に前記基地局装置へ送信し、前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信することを特徴としている。
【００２３】
また、上りリンクデータ送信許可信号で割り当てられた物理上りリンク共用チャネルを使用して、移動局装置が上りリンクデータを基地局装置へ送信する移動通信システムにおける基地局装置であって、前記移動局装置が、チャネル状態情報を前記物理上りリンク共用チャネルを使用して送信するための送信間隔を含む無線資源制御信号を前記移動局装置へ送信する手段と、前記チャネル状態情報を前記物理上りリンク共用チャネルを使用して送信することを設定する情報を含む前記上りリンクデータ送信許可信号を前記移動局装置へ送信する手段と、を備えることを特徴としている。
【００２４】
また、上りリンクデータ送信許可信号で割り当てられた物理上りリンク共用チャネルを使用して、移動局装置が上りリンクデータを基地局装置へ送信する移動通信システムにおける移動局装置であって、チャネル状態情報を送信するための前記物理上りリンク共用チャネルを割り当てる無線資源制御信号を前記基地局装置から受信する手段と、前記チャネル状態情報を前記物理上りリンク共用チャネルを使用して周期的に前記基地局装置へ送信する手段と、を備えることを特徴としている。
【００２５】
また、前記移動局装置は、前記チャネル状態情報を送信するための物理上りリンク制御チャネルを割り当てる無線資源制御信号を前記基地局装置から受信する手段と、前記物理上りリンク制御チャネルが割り当てられている場合には、前記チャネル状態情報を前記物理上りリンク制御チャネルを使用して周期的に前記基地局装置へ送信する手段と、前記物理上りリンク共用チャネルが割り当てられている場合には、前記チャネル状態情報を前記物理上りリンク共用チャネルを使用して周期的に前記基地局装置へ送信する手段と、を備えることを特徴としている。
【００２６】
また、上りリンクデータ送信許可信号で割り当てられた物理上りリンク共用チャネルを使用して、移動局装置が上りリンクデータを基地局装置へ送信する移動通信システムにおける移動局装置であって、チャネル状態情報を前記物理上りリンク共用チャネルを使用して送信するための第１の送信間隔を含む無線資源制御信号を前記基地局装置から受信する手段と、前記チャネル状態情報を前記物理上りリンク共用チャネルを使用して送信することを設定する情報を含む前記上りリンクデータ送信許可信号を前記基地局装置から受信する手段と、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信する手段と、を備えることを特徴としている。
【００２７】
また、前記移動局装置は、前記チャネル状態情報を物理上りリンク制御チャネルを使用して送信するための第２の送信間隔を含む無線資源制御信号を前記基地局装置から受信する手段と、前記第２の送信間隔に従って、前記チャネル状態情報を前記物理上りリンク制御チャネルを使用して周期的に前記基地局装置へ送信する手段と、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信する手段と、を備えることを特徴としている。
【００２８】
また、上りリンクデータ送信許可信号で割り当てられた物理上りリンク共用チャネルを使用して、移動局装置が上りリンクデータを基地局装置へ送信する移動通信システムにおける移動局装置であって、チャネル状態情報を第１のリソースの前記物理上りリンク共用チャネルを使用して送信するための送信間隔を含む無線資源制御信号を前記基地局装置から受信する手段と、前記上りリンクデータ送信許可信号を前記基地局装置から受信する手段と、前記送信間隔に従って、前記チャネル状態情報を前記第１のリソースの前記物理上りリンク共用チャネルを使用して周期的に前記基地局装置へ送信する手段と、前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信する手段と、を備えることを特徴としている。
【００２９】
また、上りリンクデータ送信許可信号で割り当てられた物理上りリンク共用チャネルを使用して、移動局装置が上りリンクデータを基地局装置へ送信する移動通信システムにおける基地局装置の通信方法であって、前記移動局装置が、チャネル状態情報を前記物理上りリンク共用チャネルを使用して送信するための送信間隔を含む無線資源制御信号を前記移動局装置へ送信し、前記チャネル状態情報を前記物理上りリンク共用チャネルを使用して送信することを設定する情報を前記上りリンクデータ送信許可信号に含めて前記移動局装置へ送信することを特徴としている。
【００３０】
また、上りリンクデータ送信許可信号で割り当てられた物理上りリンク共用チャネルを使用して、移動局装置が上りリンクデータを基地局装置へ送信する移動通信システムにおける移動局装置の通信方法であって、チャネル状態情報を送信するための前記物理上りリンク共用チャネルを割り当てる無線資源制御信号を前記基地局装置から受信し、前記チャネル状態情報を前記物理上りリンク共用チャネルを使用して周期的に前記基地局装置へ送信することを特徴としている。
【００３１】
また、前記移動局装置は、前記チャネル状態情報を送信するための物理上りリンク制御チャネルを割り当てる無線資源制御信号を前記基地局装置から受信し、前記物理上りリンク制御チャネルが割り当てられている場合には、前記チャネル状態情報を前記物理上りリンク制御チャネルを使用して周期的に前記基地局装置へ送信し、前記物理上りリンク共用チャネルが割り当てられている場合には、前記チャネル状態情報を前記物理上りリンク共用チャネルを使用して周期的に前記基地局装置へ送信することを特徴としている。
【００３２】
また、上りリンクデータ送信許可信号で割り当てられた物理上りリンク共用チャネルを使用して、移動局装置が上りリンクデータを基地局装置へ送信する移動通信システムにおける移動局装置の通信方法であって、チャネル状態情報を前記物理上りリンク共用チャネルを使用して送信するための第１の送信間隔を含む無線資源制御信号を前記基地局装置から受信し、前記チャネル状態情報を前記物理上りリンク共用チャネルを使用して送信することを設定する情報を含む前記上りリンクデータ送信許可信号を前記基地局装置から受信し、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴としている。
【００３３】
また、前記移動局装置は、前記チャネル状態情報を物理上りリンク制御チャネルを使用して送信するための第２の送信間隔を含む無線資源制御信号を前記基地局装置から受信し、前記第２の送信間隔に従って、前記チャネル状態情報を前記物理上りリンク制御チャネルを使用して周期的に前記基地局装置へ送信し、前記チャネル状態情報を前記物理上りリンク共用チャネルを使用して送信することが設定されている場合には、前記第１の送信間隔に従って、前記チャネル状態情報を前記上りリンク共用チャネルを使用して周期的に前記基地局装置へ送信することを特徴としている。
【００３４】
また、上りリンクデータ送信許可信号で割り当てられた物理上りリンク共用チャネルを使用して、移動局装置が上りリンクデータを基地局装置へ送信する移動通信システムにおける移動局装置の通信方法であって、チャネル状態情報を第１のリソースの前記物理上りリンク共用チャネルを使用して送信するための送信間隔を含む無線資源制御信号を前記基地局装置から受信し、前記上りリンクデータ送信許可信号を前記基地局装置から受信し、前記送信間隔に従って、前記チャネル状態情報を前記第１のリソースの前記物理上りリンク共用チャネルを使用して周期的に前記基地局装置へ送信し、前記チャネル状態情報を前記第１のリソースの前記物理上りリンク共用チャネルを使用して送信する際に、前記上りリンクデータ送信許可信号によって第２のリソースの前記物理上りリンク共用チャネルが割り当てられている場合には、前記上りリンクデータ送信許可信号によって割り当てられた前記第２のリソースの前記物理上りリンク共用チャネルを使用して、前記チャネル状態情報を前記基地局装置へ送信することを特徴としている。
【発明の効果】
【００３５】
本発明の移動通信技術によれば、受信品質情報の情報量、送信頻度に柔軟に対応した、効率的な送信制御を実現することができる。
【図面の簡単な説明】
【００３６】
【図１Ａ】本発明の第１の実施の形態による移動通信システムにおける基地局装置の一構成例を示す概略ブロック図である。
【図１Ｂ】本発明の第１の実施の形態による移動通信システムにおける移動局装置の一構成例を示す概略ブロック図である。
【図２】本発明の第１の実施の形態による処理フローを説明する図である。
【図３】本発明の第２の実施の形態による処理フローを説明する図である。
【図４】本発明の第３の実施の形態による処理フローを説明する図である。
【図５】受信品質情報パラメータリストの一例を示した図である。
【図６】本発明の第４の実施の形態による処理フローを説明する図である。
【発明を実施するための最良の形態】
【００３７】
（第１の実施形態）
まず、本発明の第１の実施の形態による移動通信システムについて説明する。この移動通信システムは、基地局装置と移動局装置とを備えている。図１Ａ、図１Ｂは、本実施の形態による移動局装置、基地局装置の一構成例を示す概略ブロック図である。図１Ａに示すように、基地局装置Ａは、データ制御部１、変調符号化部３、マッピング部５、逆高速フーリエ変換（IFFT）部７、無線送信部１１、無線受信部１５、高速フーリエ変換（FFT）部１７、復調復号化部２１、データ抽出部２３、スケジューラ部２５、送信情報制御部２７、アンテナ３５を備えている。送信情報制御部２７は、変調符号制御部３１、周波数選択スケジューラ部３３を含んでいる。
【００３８】
データ制御部１には、各移動局装置Ｂに送信される送信データと、制御データとが入力され、スケジューラ部２５からの指示に従って、それぞれのデータが逐次、移動局装置Ｂに送信される。
【００３９】
変調符号化部３は、変調符号制御部３１が決定した変調方式および符号化率に基づいて、データ制御部１から出力される信号に対して、変調処理や誤り訂正符号化処理を施し、各データをマッピング部５に出力する。
【００４０】
マッピング部５は、周波数選択スケジューラ部３３から出力される周波数選択スケジューリング情報に基づいて、変調符号化部３から出力されるデータを、各サブキャリア上にマッピングし、逆高速フーリエ変換部７に出力する。
【００４１】
逆高速フーリエ変換部７は、マッピング部５から出力されるデータに、逆高速フーリエ変換の処理を施し、時系列のベースバンドデジタル信号に変換し、無線送信部１１に出力する。逆高速フーリエ変換部７からの出力信号は、無線送信部１１においてデジタル／アナログ変換され、送信に適した周波数にアップコンバートされた後に、アンテナ３５を介して、各移動局装置Ｂに送信される。
【００４２】
スケジューラ部２５は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行う。
【００４３】
変調符号制御部３１は、移動局装置Ｂから送信される受信品質情報に基づいて、各データに施す変調方式、符号化率を決定し、変調符号部３に出力する。
【００４４】
周波数選択スケジューラ部３３は、移動局装置Ｂから送信される受信品質情報に基づいて、各データに施す周波数選択スケジューリングの処理を行い、その結果をマッピング部５に出力する。
【００４５】
移動局装置Ｂは、データ制御部４１、変調符号化部４３、マッピング部４５、逆高速フーリエ変換（IFFT）部４７、無線送信部５１、無線受信部５３、高速フーリエ変換（FFT）部５５、復調復号化部５７、データ抽出部６１、受信品質情報制御部６５、アンテナ６３を備えている。受信品質情報制御部６５は、受信品質情報生成部６７、受信品質測定部７１を備えている。
【００４６】
データ制御部４１には、基地局装置Ａに送信される送信データと、制御データとが入力され、それぞれのデータが逐次、基地局装置Ａに送信される。
【００４７】
変調符号化部４３は、データ制御部４１から出力される信号に変調処理や誤り訂正符号化処理を施し、各データをマッピング部４５に出力する。
【００４８】
マッピング部４５は、変調符号化部４３から出力されるデータを、各サブキャリア上にマッピングし、逆高速フーリエ変換部４７に出力する。
【００４９】
逆高速フーリエ変換部４７は、マッピング部４５から出力されるシンボル系列に逆高速フーリエ変換の処理を施し、時系列のベースバンドデジタル信号に変換し、無線送信部５１に出力する。逆高速フーリエ変換部４７からの出力信号は、無線送信部５１においてデジタル／アナログ変換され、送信に適した周波数にアップコンバートされた後に、アンテナを介して、基地局装置Ａに送信される。
【００５０】
受信品質測定部７１は、基地局装置Ａから受信する信号の受信品質を測定する。受信品質情報生成部６７は、受信品質測定部７１によって測定された情報に基づいて、基地局装置Ａに送信する受信品質情報を生成する。
【００５１】
図２は、本実施の形態による移動通信システムを説明するための基地局装置Ａから移動局装置Ｂに送信される制御信号、移動局装置Ｂから基地局装置Ａに送信される受信品質情報、上りリンクデータ、受信品質情報送信形態、および、その処理フローを示した図である。図２では、例として、#slot1〜#slot20までの動作を示している。左の図と右の図とは、スロット軸（縦軸）方向に対応している。右図では、符号１０１から１１９までのやり取りが基地局装置Ａと移動局装置Ｂとの間で行われる。まず基地局装置Ａは、受信品質情報を送信する際に使用する受信品質パラメータ情報と長期的な資源割り当てとを、RRCシグナリング（Radio Resource Control signaling：無線資源制御信号）に含めて移動局装置Ｂに対して送信する（１０１）。
【００５２】
受信品質情報を送信する際に使用するパラメータとは、受信品質情報を送信する際に使用されるPUCCHやPUSCHなどの上りリンクのチャネル、受信品質情報を測定する測定間隔、移動局装置Ｂが受信品質情報を測定する際の周波数分解能（周波数粒度）、MIMO通信時における移動局装置Ｂが受信できるストリームの数（RANK）、closed loopかopen loopか、MIMO通信時におけるモード（SU-MIMO、MU-MIMOなど）の情報を示している。また、後述する、上りリンクデータと事前に割り当てられたPUSCHのリソースで送信しようとしていた受信品質情報の割合（OFDMシンボル数）、上りリンクデータと事前に割り当てられたPUCCHのリソースで送信しようとしていた受信品質情報の割合（OFDMシンボル数）の情報も示している。長期的な資源割り当てとは、受信品質情報を送信する時間リソース（送信スロット）、受信品質情報を送信する周波数リソースの情報を示している。
【００５３】
基地局装置Ａから、受信品質送信パラメータ情報と長期的な資源割り当てを含んだRRCシグナリングが送信され（１０１）、その信号を受信した移動局装置Ｂは、その情報に基づいて、基地局装置Ａに対して受信品質情報を送信する（１０２）。
【００５４】
図２では、例として、基地局装置ＡからのRRCシグナリングによって、移動局装置Ｂが設定された時間リソース（送信間隔：5slots）で、設定されたチャネル（例えば、斜線で示すPUSCH）を使用して受信品質情報を送信していることを示している（１０２）。また、基地局装置ＡからRRCシグナリングが再度送信されて（１１１）、再設定された送信間隔（送信間隔：3slots）で、再設定された送信チャネル（例えば、網線で示すPUCCH）を使用して受信品質情報を送信していることを示している（１１２）。
【００５５】
一般的に、PUSCHのリソース領域は、PUCCHのリソース領域よりも大きいため、送信する情報量のサイズも大きくなる。すなわち、基地局装置Ａは、移動局装置Ｂに対して大きな情報量の受信品質情報を要求する際には、使用するチャネルとしてPUSCHを、小さな情報量の受信品質情報を要求する際には、使用するチャネルとしてPUCCHを設定する。
【００５６】
ここで、#slot8、#slot16の動作について説明する。#slot8、#slot16は、基地局装置ＡからRRCシグナリングによって、受信品質情報を送信するように設定されたスロットである。
【００５７】
移動局装置Ｂは、基地局装置Ａに対して受信品質情報以外にも、下りリンク制御チャネル（以下、PDCCH（Physical Downlink Control Channel））によって指示されたリソース割当てに応じて、PUSCHを使用して上りリンクデータを送信する。この下りリンク制御チャネル（PDCCH）は、上りリンクに対するデータ送信を許可する信号（L1/L2グラント）である。
【００５８】
以後、本実施の形態において、L1/L2グラントとは、上りリンクデータに対するグラントのためのL1/L2グラントを示している。
【００５９】
#slot8、#slot16で、L1/L2グラントを受信した移動局装置Ｂは（１０７、１１５）、L1/L2グラントで割り当てられたPUSCHのリソースを使用して、上りリンクデータと受信品質情報とを、同時に基地局装置Ａに対して送信する（１０８、１１６）。
【００６０】
図２では、基地局装置Ａから、#slot8、#slot16を制御するタイミングでPDCCHを使用して、L1/L2グラントが移動局装置Ｂに送信され、その信号を受信した移動局装置Ｂが、上りリンクデータと受信品質情報を、PUSCHを使用して同時に基地局装置Ａに対して送信していることを示している。
【００６１】
ここで、上りリンクデータと受信品質情報とが同時に送信される際の送信形態について説明する。基地局装置は、移動局装置Ｂが、上りリンクデータと受信品質情報とを同時に送信する際の物理フォーマットを、受信情報パラメータとして変更することができる。
【００６２】
例えば、移動局装置Ｂから基地局装置Ａに対して送信されるデータを14OFDMシンボルで表し、その14OFDMシンボル内に、データの復調を行うための伝搬路推定に用いる既知のリファレンスシンボル（パイロット信号）が4OFDM含まれていた場合、残りの10OFDMシンボル内での上りリンクデータと受信品質情報との割合を、受信品質情報パラメータとして変更することができる。一例としては、10OFDMシンボルに対して、受信品質情報が4OFDMシンボル（すなわち、上りリンクデータが6OFDMシンボル）のようなOFDMシンボル数を使用して表すことができるが、上りリンクデータと受信品質情報の物理フォーマットを規定するものであれば、どのように表されてもよい。
【００６３】
この例においては、#slot8で、上りリンクデータと事前に割り当てられたPUSCHのリソースで送信しようとしていた受信品質情報の割合（例えば、OFDMシンボル数）の変更、#slot16で、上りリンクデータと事前に割り当てられたPUCCHのリソースで送信しようとしていた受信品質情報の割合（例えば、OFDMシンボル数）の変更を行うことができ、その割合は、受信情報パラメータとして示される。
【００６４】
さらに、#slot8、#slot16における基地局装置Ａの動作について説明する。
移動局装置Ｂが、L1/L2グラントで割り当てられたPUSCHのリソースを使用して、上りリンクデータと受信品質情報とを同時に送信する際に、事前にRRCシグナリングで割り当てられたリソース（PUSCH、PUCCHのリソース）では、何も送信しない。
【００６５】
基地局装置Ａは、L1/L2グラントを送信することにより（１０７）、事前にRRCシグナリング（１０１）で割り当てたリソースで送信する情報がなくなることが事前に分かるため、他の移動局装置が、このリソースを使用して、上りリンクデータや制御データ（例えば、ACK/NACK信号）を送信することができるようにスケジューリングを行う。
【００６６】
このスケジューリングを行うことにより、受信品質情報を送信するために事前に確保していたリソースを、他の移動局装置に対して使用することができ、上りリンクリソースをより効率的に使用することができる。
【００６７】
図２においては、基地局装置Ａから移動局装置Ｂに対して、上りリンクデータ送信許可信号（L1/L2グラント）が、#slot4、#slot5、#slot8、#slot9、#slot15、#slot16、#slot18で送信されていることを示している。また、基地局装置ＡからのRRCシグナリングによって、#slot3、#slot8、#slot13、#slot16、#slot19が、受信品質情報を送信するスロットとして割り当てられ、移動局装置Ｂから受信品質情報が送信されていることを示している。また、基地局装置Ａからの上りリンクデータ送信許可信号（L1/L2グラント）に対応したスロット（#slot4、#slot5、#slot8、#slot9、#slot15、#slot16、#slot18）で、移動局装置Ｂから基地局装置Ａに対して、上りリンクデータが送信されていることを示している。さらに、移動局装置Ｂから基地局装置Ａに、上りリンクデータ、受信品質情報が送信される際の送信形態が示され、後述するように、#slot8、#slot16では、上りリンクデータ（白抜きで示される矩形）と受信品質情報（斜線、および、網線で示される矩形）が同時に基地局装置に対して送信されていることが、白抜きで示される矩形と、斜線、および、網線で示される矩形が半分ずつ合わさって描くことで概念的に示されている（符号Ａ１、Ｂ１参照）。さらに、各スロットでの動作について説明する。
【００６８】
#slot1で、基地局装置Ａは、受信品質送信パラメータ情報と長期的な資源の割り当てとを含むRRCシグナリングを移動局装置Ｂに対して送信する（１０１）。ここでは、例として、受信品質情報を送信する際に使用するチャネルとしてPUSCHが割り当てられ、時間リソース（送信間隔）は5slots間隔（オフセット3slots）が設定されたものとする。また、この際に、基地局装置Ａは、受信品質情報を送信するための上りリンクのチャネル資源（この場合PUSCHのリソースブロック）を、長期間にわたって確保し移動局装置Ｂに割り当て（グラント）しておく（パーシステントスケジューリングと呼ぶ）。  #slot3で、移動局装置Ｂは設定されたチャネル（PUSCH）を使用して受信品質情報を基地局装置Ａに対して送信する（１０２）。#slot4で、基地局装置ＡはL1/L2グラントを送信し（１０３）、その信号を受信した移動局装置Ｂは上りリンクデータを送信する（１０４）。#slot5（１０５、１０６）、#slot9、#slot15（１０９、１１０、１１３、１１４）、#slot18（１１７、１１８）でも同様の処理が行われる。#slot8で、基地局装置はL1/L2グラントを送信し（１０７）、その信号を受信した移動局装置は、上りリンクデータと受信品質情報をL1/L2グラントによって割り当てられたPUSCHのリソースを使用して同時に送信する（１０８）。
【００６９】
この例においては#slot4、5、8、9でのデータへの資源割り当て（グラント）はワンショットで行われる（ダイナミックスケジューリング）事を想定している。#slot8では、受信品質情報を送信するためのPUSCHのパーシステントなグラントとデータを送信するためのPUSCHのダイナミックなグラントとが送信形態に示すように混在することになるが、このような場合には、ダイナミックなグラントが優先され、受信品質情報は上りリンクデータと結合された上で、上りリンクデータの為に割り当てられた資源を用いて送信される。またこの場合に、受信品質情報送信の為に事前に確保されていた資源は、他の移動局装置が上りリンクデータや制御データ（例えば、ACK/NACK信号）送信を行う為に解放される。
【００７０】
#slot1２で、基地局装置Ａは、受信品質送信パラメータ情報を含むRRCシグナリングを移動局装置Ｂに対して再度送信し（１１１）、受信品質情報の内容や送信方法を再設定する。ここでは、受信品質情報を送信する際に使用するチャネルとしてPUCCHが割り当てられ、時間リソース（送信間隔）は、3slots間隔（オフセット１slot）が設定されたものとする。
【００７１】
#slot１3で、移動局装置Ｂは設定されたチャネル（PUCCH）を使用して受信品質情報を基地局装置Ａに対して送信する（１１２）。#slot19でも同様の処理が行われる（１１９）。#slot16で、基地局装置ＡはL1/L2グラントを送信し（１１５）、その信号を受信した移動局装置Ｂは上りリンクデータと受信品質情報を、L1/L2グラントによって割り当てられたPUSCHのリソースを使用して同時に送信する（１１６）。すなわち、RRCシグナリングによって指定され、PUCCHの資源を使用して送信しようとしていた受信品質情報を、上りリンクデータと同時にPUSCHを使用して送信することになる。
【００７２】
ここで、基地局装置から移動局装置に送信される受信品質送信パラメータ情報は、下りリンクのＬ１/Ｌ２シグナリングに含まれて送信されてもよい。受信品質送信パラメータ情報を、Ｌ１/Ｌ２シグナリングに含めて送信することにより、迅速に移動局装置へ送信することができる。
【００７３】
本発明の第１の実施の形態によれば、基地局装置が、受信品質情報を送信する際に使用する受信品質送信パラメータ情報と長期的な資源割り当てとを、RRCシグナリングに含めて移動局装置Ｂに対して送信することにより、受信品質情報を送信する際に使用するパラメータが基地局装置Ａによって制御される。これにより、受信品質情報の情報量の変化、送信頻度の変化に柔軟に対応した受信品質情報送信のパラメータ設定を行えることができ、効率的な送信制御を実現することができる。
【００７４】
（第２の実施形態）
次に、本発明の第２の実施の形態による移動通信システムについて図面を参照しながら説明を行う。図３は、本発明の第２の実施の形態による移動通信システムにおける処理フローである。図３においては、基地局装置から移動局装置に送信される制御信号、移動局装置から基地局装置に送信される受信品質情報、上りリンクデータ、受信品質情報送信形態、および、その処理フローを示している。例として、#slot1〜#slot20までの動作を示している。
【００７５】
本実施の形態と第１の実施の形態との相違点は、#slot8において、移動局装置Ｂが送信フォーマット変更要求を含む受信品質情報を、基地局装置Ａに対して送信している点である（１２８）。それ以外のスロットで行われる動作（１２１から１３７）については第１の実施の形態と同様である。
【００７６】
図３においては、後述するように、#slot8において、移動局装置Ｂから基地局装置Ａに対して送信される受信品質情報の送信形態として、送信フォーマット変更要求を含む受信品質情報が送信されていることを示している（Ｃ１）。それ以外のL1/L2グラント、受信品質情報、上りリンクデータ、送信形態についても、実施例１で説明したように概念的に示されている。
【００７７】
各スロットでの動作について説明する。
#slot8において、移動局装置Ｂは、送信フォーマット変更要求を含む受信品質情報を基地局装置Ａに送信する。この送信フォーマット変更要求とは、移動局装置Ｂが、受信品質情報を送信する際に使用するパラメータを変更したいと判断したときに付与される情報である。この判断は、例えば、端末の移動速度の変化や受信状況の変化によって生じる下りリンクデータのチャネル状況の変化が起きたときなどに発生する。
【００７８】
移動局装置Ｂから、送信フォーマット変更要求を含む受信品質情報を受信した基地局装置Ａは、自らが制御するセル内の上りリンクリソースを考慮して、受信品質パラメータ情報をRRCシグナリングに含めて送信し（１２９）、パラメータの再設定を行う。
【００７９】
上記までで説明してきたように、受信品質情報を送信する際に使用するパラメータは、基地局装置Ａによって制御されるべきである。したがって、例えば、移動局装置Ｂから、大きな情報量の受信品質情報を、高頻度に送信したい送信フォーマット変更要求が受信品質情報に含まれて送信されたとしても、基地局装置Ａが、自らが制御するセル内の上りリンクリソースが不足すると判断した場合には、その送信フォーマット変更要求を受け付けなくてもよい。基地局装置Ａが、送信フォーマット変更要求を受け付けない場合には、何も送信しない、もしくは、前回と同じ受信品質送信パラメータ情報を含んだRRCシグナリングが移動局装置Ｂに対して送信される。
【００８０】
処理フローについて詳細について説明する。尚、#slot8以外の各スロットに関しては、第１の実施の形態で説明した処理と同様の処理を行えば良い。
【００８１】
#slot8で、下りリンクデータのチャネル状況の変化などによって、受信品質情報を送信する際に使用するパラメータを変更したいと判断した移動局装置Ｂは、送信フォーマット変更要求を含む受信品質情報を、基地局装置Ａに対して送信する（１２８）。その信号を受信した基地局装置Ａは、自らが制御するセル内の上りリンクリソースを考慮して、受信品質パラメータ情報をRRCシグナリングに含めて送信し（１２９）、パラメータの再設定を行う。この際に、自らが制御するセル内の上りリンクリソースが不足すると判断した場合には、移動局装置Ｂからの送信フォーマット要求を受け付けない。
【００８２】
ここで（１２８）、この送信フォーマット変更要求は受信品質情報に含める代わりに、移動局装置から基地局装置への上りリンクのＬ１/Ｌ２シグナリング、もしくは、ＲＲＣシグナリングに含めて送信してもよい。Ｌ１/Ｌ２シグナリングに含めて送信することにより、送信フォーマット変更要求を、迅速に基地局装置に対して送信することができる。また、ＲＲＣシグナリングに含めて送信することにより、送信フォーマット変更要求を、より確実性を持って基地局装置に対して送信することができる。
【００８３】
また第１の実施の形態でも説明した通り、基地局装置から移動局装置に送信される受信品質送信パラメータ情報は（１２１、１２９）、下りリンクのＬ１/Ｌ２シグナリングに含めて送信してもよい。受信品質送信パラメータ情報を、Ｌ１/Ｌ２シグナリングに含んで送信することにより、迅速に移動局装置へ送信することができる。さらに、基地局装置から移動局への受信品質送信パラメータ情報が変更されたことは、明示的にシグナリングを使用して送信する必要はなく、下りリンクデータの制御信号に含まれるスケジューリング情報（例えば、下りリンクデータの制御信号に含まれるＭＩＭＯ情報など）によって認識することも出来る。
【００８４】
以上に説明したように、本発明の第２の実施の形態によれば、受信品質情報を送信する際に使用するパラメータを変更したいと判断した移動局装置が、送信フォーマット変更要求を含む受信品質情報を、基地局装置に対して送信することにより、移動局装置の状況の変化などによる受信品質情報の情報量の変化、送信頻度の変化に対応した効率的な送信制御を実現することができるという利点がある。
【００８５】
（第３の実施の形態）
次に、本発明の第３の実施の形態について図面を参照しながら説明を行う。図４は、本発明の第３の実施の形態による移動通信システムにおける基地局装置から移動局装置に送信される制御信号、移動局装置から基地局装置に送信される受信品質情報、上りリンクデータ、受信品質情報送信形態、および、処理フローを示した図である。
【００８６】
図２に示す処理フローとの大きな違いは、#slot1において、基地局装置Ａが、受信品質情報パラメータリストと長期的な資源割り当てとを含むRRCシグナリングを、移動局装置Ｂに送信している点である（１４１）。また、#slot2、#slot11で、基地局装置Ａがインデックス指定情報を含むL1/L2シグナリングを、移動局装置に対して送信している点である（１４２、１５０）。一般的に、基地局装置Ａと移動局装置Ｂとの間でやり取りされる信号のうち、L1/L2シグナリングの送信は、RRCシグナリングの送信よりも迅速に行うことができる。すなわち、基地局装置Ａが、L1/L2シグナリングを使用して移動局装置Ｂを制御することにより、受信品質情報を送信する際に使用するパラメータを細かな頻度で設定することができる。
【００８７】
図４においては、後述するように、#slot2、#slot11において、基地局装置Ａから移動局装置Ｂに対してインデックス指定情報を含むL1/L2グラントが送信されていることを示している（符号Ｄ１、Ｅ１参照）。それ以外のL1/L2グラント、受信品質情報、上りリンクデータ、送信形態についても、実施例１で説明したように概念的に示されている。
【００８８】
各スロットでの動作について説明する。
まず、#slot1における基地局装置Ａの動作について説明する。#slot1で、基地局装置Ａは、受信品質情報パラメータリストと長期的な資源割り当てを含むRRCシグナリングとを、移動局装置Ｂに対して送信する。ここで、受信品質情報パラメータリストとは、受信品質情報を送信する際に使用するパラメータの組み合わせを複数個記載したリストである。
【００８９】
図５は、受信品質情報パラメータリストの一構成例を示す図である。図５に示すように、受信品質情報パラメータリストには、受信品質情報を送信する際に使用する送信チャネル（例えば、PUCCH、PUSCH）、上りリンクデータとPUSCHのリソースで送信しようとしていた受信品質情報を同時に送信する際の割合（OFDMシンボル数）、上りリンクデータとPUCCHのリソースで送信しようとしていた受信品質情報を同時に送信する際の割合（OFDMシンボル数）、受信品質情報を測定する測定間隔（例えば、測定間隔：3、5、10、20、50、100 slots）、移動局装置が受信品質情報を測定する周波数分解能（例えば、周波数粒度：25リソースブロック、50リソースブロック、Full（全周波数帯域）、5リソースブロック、10リソースブロック、20リソースブロック）、MIMO通信時における移動局装置Ｂが受信できるストリームの数（例えば、RANK1、2、4のうちのいずれか）、open loopかclosed loopかの情報、MIMOのモード（例えば、Tx Diversity、SU-MIMO、MU-MIMOなど）の情報が含まれる。受信品質情報パラメータリストは、これらのパラメータの組み合わせに対応して、それぞれインデックス（図５では１から６まで）が付与されている。
【００９０】
図４に戻り、#slot2における基地局装置の動作について説明する。#slot2で、基地局装置Ａは、インデックス指定情報を含むL1/L2シグナリングを、移動局装置Ｂに対して送信する（１４２）。ここで、インデックス指定情報とは、受信品質情報パラメータリストに記載されている複数個の受信品質パラメータ情報の組み合わせの中から、1つのパラメータの組み合わせを指定する情報を示している。
【００９１】
#slot2で、インデックス指定情報を含むL1/L2シグナリングを受信した移動局装置Ｂは、指定されたインデックス（例えば、インデックス１）に対応するパラメータで受信品質情報を送信する（１４４）。#slot11においても、基地局装置Ａから、インデックス指定情報を含むL1/L2シグナリングが送信され（１５０）、この信号を受信した移動局装置Ｂは、設定されたインデックス（例えば、インデックス5）に対応するパラメータで受信品質情報を送信する（１５１）。
【００９２】
ここで、このインデックス指定情報は、#slot1で送信されるRRCシグナリングに含まれていてもよい。#slot1で送信されるRRCシグナリングにインデックス指定情報を含むことで、最初にL1/L2シグナリングで行うインデックスの指定（この例では、#slot2で行われる）を省略することができ、RRCシグナリングだけで、受信品質情報パラメータリストの送信、および、インデックスの指定を行うことができる。
【００９３】
また、図５に示す受信品質情報パラメータリストは事前に仕様等で定義されても良い。受信品質情報パラメータリストを事前に定義し、基地局装置、移動局装置の間で既知としておくことにより、ＲＲＣシグナリングに含めて送信する必要がなくなり、インデックス指定を含んだＬ１／Ｌ２シグナリングを送信するだけで、インデックスの指定を行うことができる。尚、“事前に定義される”の意味は、“仕様によって定義される”こと、すなわち、パラメータリストの中身が定義され、全ての基地局、移動局装置の間で既知となることを意味する。パラメータリストが仕様によって定義され、定義された内容が、基地局装置、移動局装置のメモリなどに予め保持される”ことを意味する。
【００９４】
以上に示すように、本実施の形態によれば、基地局装置Ａが、受信品質情報パラメータリストを含むRRCシグナリングを送信し、さらに、受信品質情報パラメータリストのインデックスを指定するインデックス指定情報を含むL1/L2シグナリングを送信し、その信号を受信した移動局装置Ｂは指定されたインデックスに対応したパラメータで受信品質情報を基地局装置Ａに対して送信することにより、細かな頻度で迅速に受信品質情報を送信する際のパラメータを変更することができる。
【００９５】
これにより、受信品質情報の情報量の変化、送信頻度の変化に柔軟に対応した受信品質情報送信のパラメータ設定を行えることができ、効率的な送信制御を実現することができるという利点がある。
【００９６】
（第４の実施の形態）
図６は、本発明の第４の実施の形態による移動局通信システムにおける、基地局装置から移動局装置に送信される制御信号、移動局装置から基地局装置に送信される受信品質情報、上りリンクデータ、受信品質情報送信形態、および、処理フローを示したものである。
【００９７】
第３の実施の形態における図４との大きな相違点は、#slot8において、移動局装置Ｂがインデックス変更要求を含む受信品質情報を、基地局装置Ａに対して送信している点（１６９）である。それ以外のスロットで行われる動作については第３の実施の形態で示した通りである。
【００９８】
図６においては、後述するように、#slot8において、移動局装置Ｂから基地局装置Ａに対して送信される受信品質情報の送信形態として、インデックス変更要求を含む受信品質情報が送信されていることを示している（符号Ｆ１参照）。それ以外のL1/L2グラント、受信品質情報、上りリンクデータ、送信形態についても、実施例１、実施例３で説明したように概念的に示されている。
【００９９】
各スロットについて、詳細に説明する。
#slot8において、移動局装置Ｂは、インデックス変更要求を含む受信品質情報を基地局装置Ａに送信する。このインデックス変更要求とは、移動局装置Ｂが、インデックス指定情報で指定されているパラメータを変更したいと判断したときに付与される情報である。この判断は、例えば、端末の移動速度の変化や受信状況の変化によって生じる下りリンクデータのチャネル状況の変化が起きたときなどに行われる。
【０１００】
移動局装置Ｂから、インデックス変更要求を含む受信品質情報を受信した基地局装置Ａは、自らが制御するセル内の上りリンクリソースなどを考慮して、インデックス指定情報をL1/L2シグナリングに含めて送信し（１７０）、インデックスの再設定を行う。
【０１０１】
上記第２の実施の形態でも説明したように、受信品質情報を送信する際に使用するパラメータは、基地局装置Ａによって制御されるべきである。したがって、例えば、移動局装置Ｂから、大きな情報量の受信品質情報を高頻度に送信したいインデックス変更要求が受信品質情報に含まれて送信されたとしても、基地局装置Ａが、自らが制御するセル内の上りリンクリソースが不足すると判断した場合には、そのインデックス変更要求を受け付けなくてもよい。基地局装置Ａが、インデックス変更要求を受け付けない場合には、何も送信しない、もしくは、前回と同じインデックス情報を含んだL1/L2シグナリングが移動局装置Ｂに対して送信される。
【０１０２】
図６において、#slot8以外の各スロットに関しては、図４で説明した処理と同様の処理を行う。#slot8で、下りリンクデータのチャネル状況の変化などによって、設定されているインデックスを変更したいと判断した移動局装置Ｂは、インデックス変更要求を含む受信品質情報を、基地局装置Ａに対して送信する（１６９）。その信号を受信した基地局装置Ａは、自らが制御するセル内の上りリンクリソースを考慮して、インデックス指定情報をL1/L2シグナリングに含めて送信し（１７０）、使用するパラメータの再設定を行う。この際に、自らが制御するセル内の上りリンクリソースが不足すると判断した場合には、移動局装置Ｂからのインデックス変更要求を受け付けない。
【０１０３】
ここで、このインデックス変更要求１６９は受信品質情報に含めることなく、移動局装置から基地局装置への上りリンクのＬ１/Ｌ２シグナリング、もしくは、ＲＲＣシグナリングに含めて送信してもよい。Ｌ１/Ｌ２シグナリングに含めて送信することにより、インデックス変更要求を、迅速に基地局装置に対して送信することができる。また、ＲＲＣシグナリングに含めて送信することにより、インデックス変更要求を、より確実性を持って基地局装置に対して送信することができる。
【０１０４】
本実施の形態によれば、受信品質情報を送信する際に使用する受信情報パラメータリストのインデックスを変更したいと判断した移動局装置が、インデックス変更要求を含む受信品質情報を、基地局装置に対して送信することにより、移動局装置の状況の変化などによる受信品質情報の情報量の変化、送信頻度の変化に対応した効率的な送信制御を実現することができる。
【０１０５】
上記までに説明した通り、本発明によれば、移動局装置が、基地局装置から受信した信号の品質を示す受信品質情報を前記基地局装置へ送信する移動通信システムであって、基地局装置は、移動局装置が受信品質情報を送信する物理上りリンク共用チャネルの周期的な割り当てを行い、前記移動局装置は、前記割り当てられた物理上りリンク共用チャネルで受信品質情報を周期的に前記基地局装置に送信することを特徴とする移動通信システムが提供される。前記基地局装置は、移動局装置が受信品質情報を送信する物理上りリンク共用チャネルの周期的な割り当てを無線資源制御信号に含めて送信し、前記移動局装置は、前記無線資源制御信号で割り当てられた物理上りリンク共用チャネルで受信品質情報を周期的に前記基地局装置に送信することが好ましい。前記基地局装置は、移動局装置が受信品質情報を送信する物理上りリンク共用チャネルの送信間隔とオフセットを無線資源制御信号に含めて送信し、前記移動局装置は、前記無線資源制御信号で設定された送信間隔とオフセットで受信品質情報を周期的に前記基地局装置に送信する移動通信システムであっても良い。また、前記基地局装置は、物理上りリンク共用チャネルでの受信品質情報の周期的な送信を指示する無線資源制御信号、および、上りリンクデータの送信を指示する上りリンクデータ送信許可信号を送信し、前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信するようにしても良い。また、前記基地局装置は、前記移動局装置が受信品質情報を送信する物理上りリンク共用チャネルと物理上りリンク制御チャネルの周期的な割り当てを行い、前記移動局装置は、前記割り当てられた物理上りリンク共用チャネルと物理上りリンク制御チャネルで受信品質情報を周期的に前記基地局装置に送信するようにしても良い。
【０１０６】
前記基地局装置は、移動局装置が受信品質情報を送信する物理上りリンク共用チャネルと物理上りリンク制御チャネルの周期的な割り当てを無線資源制御信号に含めて送信し、前記移動局装置は、前記無線資源制御信号で割り当てられた物理上りリンク共用チャネルと物理上りリンク制御チャネルで受信品質情報を周期的に前記基地局装置に送信するようにしても良い。前記基地局装置は、移動局装置が受信品質情報を送信する物理上りリンク共用チャネルの送信間隔とオフセット、および、物理上りリンク制御チャネルの送信間隔とオフセットを無線資源制御信号に含めて送信し、前記移動局装置は、前記無線資源制御信号に含まれる送信間隔とオフセットで受信品質情報を周期的に前記基地局装置に送信するようにしても良い。
【０１０７】
また、本発明は、移動局装置に対して、受信品質情報の送信を制御する基地局装置であって、受信品質情報を送信する物理上りリンク共用チャネルの周期的な割り当てを行うスケジューラ部を備えることを特徴とする基地局装置であっても良い。前記基地局装置は、移動局装置が受信品質情報を送信する物理上りリンク共用チャネルの周期的な割り当てを無線資源制御信号に含めるスケジューラ部と、前記物理上りリンク共用チャネルの周期的な割り当てを含む無線資源制御信号を、前記移動局装置に送信する無線送信部と、を備えることが好ましい。前記基地局装置は、移動局装置が受信品質情報を送信する物理上りリンク共用チャネルの送信間隔とオフセットを無線資源制御信号に含めるスケジューラ部と、前記送信間隔とオフセットを含む無線資源制御信号を、前記移動局装置に送信する無線送信部と、を備えることが好ましい。
【０１０８】
また、本発明は、基地局装置に受信品質情報を送信する移動局装置であって、基地局装置によって割り当てられた物理上りリンク共用チャネルで受信品質情報を周期的に前記基地局装置に送信する無線送信部を備えるものであっても良い。前記移動局装置は、受信品質情報を送信する物理上りリンク共用チャネルの周期的な割り当てを含む無線資源制御信号を前記基地局装置から受信する無線受信部と、前記無線資源制御信号で割り当てられた物理上りリンク共用チャネルで受信品質情報を周期的に前記基地局装置に送信する無線送信部と、を備えることが好ましい。
【０１０９】
前記移動局装置は、受信品質情報を送信する物理上りリンク共用チャネルの送信間隔とオフセットを含む無線資源制御信号を前記基地局装置から受信する無線受信部と、前記無線資源制御信号で設定された送信間隔とオフセットで受信品質情報を周期的に前記基地局装置に送信する無線送信部と、を備えることが好ましい。
【０１１０】
前記移動局装置は、物理上りリンク共用チャネルでの受信品質情報の周期的な送信を指示する無線資源制御信号、および、上りリンクデータの送信を指示する上りリンクデータ送信許可信号を受信する無線受信部と、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する無線送信部と、を特徴とする。
【０１１１】
移動局装置に対して、受信品質情報の送信を制御する基地局装置であって、受信品質情報を送信する物理上りリンク共用チャネルと物理上りリンク制御チャネルの周期的な割り当てを行うスケジューラ部とを備えることが好ましい。また、前記基地局装置は、移動局装置が受信品質情報を送信する物理上りリンク共用チャネルと物理上りリンク制御チャネルの周期的な割り当てを無線資源制御信号に含めるスケジューラ部と、前記物理上りリンク共用チャネルと物理上りリンク制御チャネルの割り当てを含む無線資源制御信号を、前記移動局装置に送信する無線送信部と、を備えることが好ましい。
【０１１２】
前記基地局装置は、移動局装置が受信品質情報を送信する物理上りリンク共用チャネルの送信間隔とオフセット、および、物理上りリンク制御チャネルの送信間隔とオフセットを無線資源制御信号に含めるスケジューラ部と、前記物理上りリンク共用チャネルの送信間隔とオフセット、および、物理上りリンク制御チャネルの送信間隔とオフセットを含む無線資源制御信号を、前記移動局装置に送信する無線送信部と、を備えるものであっても良い。
【０１１３】
また、本発明は、基地局装置に受信品質情報を送信する移動局装置であって、受信品質情報を送信する物理上りリンク共用チャネルと物理上りリンク制御チャネルの周期的な割り当てを含む無線資源制御信号を前記基地局装置から受信する無線受信部と、前記無線資源制御信号で割り当てられた物理上りリンク共用チャネルと物理上りリンク制御チャネルで受信品質情報を周期的に前記基地局装置に送信する無線送信部と、を備えることを特徴とする。前記移動局装置は、受信品質情報を送信する物理上りリンク共用チャネルの送信間隔とオフセット、および、物理上りリンク制御チャネルの送信間隔とオフセット含む無線資源制御信号を前記基地局装置から受信する無線受信部と、前記無線資源制御信号で設定された物理上りリンク共用チャネルの送信間隔とオフセット、および、物理上りリンク制御チャネルの送信間隔とオフセットで受信品質情報を周期的に前記基地局装置に送信する無線送信部と、を備えることが好ましい。
【０１１４】
本発明は、基地局装置と移動局装置とを用いた移動通信方法であって、基地局装置は移動局装置が受信品質情報を送信する物理上りリンク共用チャネルの周期的な割り当てを行う過程を実行し、前記移動局装置は、前記割り当てられた物理上りリンク共用チャネルで受信品質情報を周期的に前記基地局装置に送信する過程を実行することを特徴とする移動通信方法である。
【０１１５】
また、基地局装置と移動局装置とを用いた移動通信方法であって、基地局装置は移動局装置が受信品質情報を送信する物理上りリンク共用チャネルの周期的な割り当てを無線資源制御信号に含めて移動局装置に送信する過程を実行し、前記移動局装置は、前記無線資源制御信号で割り当てられた物理上りリンク共用チャネルで受信品質情報を周期的に前記基地局装置に送信する過程を実行することを特徴とするものである。前記基地局装置は、移動局装置が受信品質情報を送信する物理上りリンク共用チャネルの送信間隔とオフセットを無線資源制御信号に含めて移動局装置に送信する過程を実行し、前記移動局装置は、前記無線資源制御信号で設定された送信間隔とオフセットで受信品質情報を周期的に前記基地局装置に送信する過程を実行するものである。
【０１１６】
前記基地局装置は、物理上りリンク共用チャネルでの受信品質情報の周期的な送信を指示する無線資源制御信号、および、上りリンクデータの送信を指示する上りリンクデータ送信許可信号を送信する過程を実行し、前記移動局装置は、前記無線資源制御信号に従った物理上りリンク共用チャネルでの周期的な受信品質情報の送信と、上りリンクデータ送信許可信号に従った上りリンクデータの送信が同時に生じる場合は、上りリンクデータ送信許可に従って受信品質情報と上りリンクデータをともに前記基地局装置に送信する過程を実行することを特徴とする。前記基地局装置は、移動局装置が受信品質情報を送信する物理上りリンク共用チャネルと物理上りリンク制御チャネルの周期的な割り当てを行う過程を実行し、前記移動局装置は、前記割り当てられた物理上りリンク共用チャネルと物理上りリンク制御チャネルで受信品質情報を周期的に前記基地局装置に送信する過程を実行することが好ましい。また、前記基地局装置は、移動局装置が受信品質情報を送信する物理上りリンク共用チャネルと物理上りリンク制御チャネルの周期的な割り当てを無線資源制御信号に含めて送信する過程を実行し、前記移動局装置は、前記無線資源制御信号で割り当てられた物理上りリンク共用チャネルと物理上りリンク制御チャネルで受信品質情報を周期的に前記基地局装置に送信する過程を実行することが好ましい。
【０１１７】
また、本発明は、移動局装置が、基地局装置から受信した信号の受信品質を測定し、受信品質情報を前記基地局装置へ送信する移動通信システムであって、移動局装置は、受信品質情報を送信する際に使用するパラメータ情報の変更を要求する送信フォーマット変更要求を受信品質情報に含めて基地局装置に送信し、前記基地局装置は、前記送信フォーマット変更要求を含んだ受信品質情報を受信した場合、移動局装置が受信品質情報を送信する際に使用するパラメータ情報を設定することを特徴とする移動通信システムである。
【０１１８】
さらに、基地局装置から受信した信号の受信品質を測定し、受信品質情報を前記基地局装置へ送信する移動局装置であって、受信品質情報を送信する際に使用するパラメータ情報を基地局装置から受信する無線受信部と、前記パラメータ情報の変更を要求する送信フォーマット変更要求を含んだ受信品質情報を前記基地局装置に送信する無線送信部と、を備えることを特徴とする移動局装置である。
【０１１９】
また、移動局装置に対して、受信品質情報の送信動作を制御する基地局装置であって、移動局装置が受信品質情報を送信する際に使用するパラメータ情報の変更を要求する送信フォーマット変更要求を受信する無線受信部と、前記送信フォーマット変更要求を受信した場合、前記移動局装置が受信品質情報を送信する際に使用するパラメータ情報を設定する信号を送信する無線送信部と、を備えることを特徴とする基地局装置である。
【０１２０】
また、基地局装置と移動局装置とを用いた移動通信方法であって、移動局装置は、受信品質情報を送信する際に使用するパラメータ情報の変更を要求する送信フォーマット変更要求を受信品質情報に含めて基地局装置に送信する過程を実行し、前記基地局装置は、前記送信フォーマット変更要求を受信した場合、移動局装置が受信品質情報を送信する際に使用するパラメータ情報を設定する過程を実行することを特徴とする移動通信方法であっても良い。
【０１２１】
移動局装置が、基地局装置から受信した信号の受信品質を測定し、受信品質情報を前記基地局装置へ送信する移動通信システムであって、基地局装置は、移動局装置が受信品質情報を送信する際に使用するパラメータ情報を複数個記載した受信品質情報パラメータリストを無線資源制御信号に含めて送信した後、前記受信品質情報パラメータリストの中から１つのパラメータ情報を指定するインデックス指定情報を上りリンクデータ送信許可信号に含めて送信し、前記移動局装置は、前記インデックス指定情報で指定されたパラメータ情報を使用して受信品質情報を前記基地局装置に送信することを特徴とする移動通信システムであっても良い。
【０１２２】
移動局装置に対して、受信品質情報の送信動作を制御する基地局装置であって、移動局装置が受信品質情報を送信する際に使用するパラメータ情報を複数個記載した受信品質情報パラメータリストを無線資源制御信号に含めて送信した後、前記受信品質情報パラメータリストの中から１つのパラメータ情報を指定するインデックス指定情報を上りリンクデータ送信許可信号に含めて送信する無線送信部を備えることを特徴とする基地局装置であっても良い。
【０１２３】
基地局装置から受信した信号の受信品質を測定し、受信品質情報を前記基地局装置へ送信する移動局装置であって、受信品質情報を送信する際に使用するパラメータ情報を複数個記載した受信品質情報パラメータリストを含んだ無線資源制御信号を受信した後、前記受信品質情報パラメータリストの中から１つのパラメータ情報を指定するインデックス指定情報を含んだ上りリンクデータ送信許可信号を受信する無線受信部と、前記インデックス指定情報で指定されたパラメータ情報を使用して受信品質情報を前記基地局装置に送信する無線送信部と、を備えることを特徴とする移動局装置であっても良い。
【０１２４】
基地局装置と移動局装置とを用いた移動通信方法であって、基地局装置は、移動局装置が受信品質情報を送信する際に使用するパラメータ情報を複数個記載した受信品質情報パラメータリストを無線資源制御信号に含めて送信した後、前記受信品質情報パラメータリストの中から１つのパラメータ情報を指定するインデックス指定情報を上りリンクデータ送信許可信号に含めて送信する過程を実行し、前記移動局装置は、前記インデックス指定情報で指定されたパラメータ情報を使用して受信品質情報を前記基地局装置に送信する過程を実行することを特徴とする移動通信方法である。
【０１２５】
また、移動局装置が、基地局装置から受信した信号の受信品質を測定し、受信品質情報を前記基地局装置へ送信する移動通信システムであって、移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信し、前記基地局装置は、前記インデックス変更要求を含んだ受信品質情報を受信した場合、インデックス指定情報を送信して、移動局装置が受信品質情報を送信する際に使用するパラメータ情報を設定することを特徴とする移動通信システムである。
【０１２６】
基地局装置から受信した信号の受信品質を測定し、受信品質情報を前記基地局装置へ送信する移動局装置であって、受信品質情報を送信する際に使用するパラメータ情報を複数個記載した受信品質情報パラメータリストを含んだ無線資源制御信号を受信した後、前記受信品質情報パラメータリストの中から１つのパラメータ情報を指定するインデックス指定情報を含んだ上りリンクデータ送信許可信号を受信する無線受信部と、前記インデックス指定情報で指定されたパラメータ情報の変更を要求するインデックス変更要求を受信品質情報に含めて前記基地局装置に送信する無線送信部と、を備えることを特徴とする移動局装置でも良い。
【０１２７】
移動局装置に対して、受信品質情報の送信動作を制御する基地局装置であって、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を含んだ受信品質情報を受信した場合、前記受信品質情報パラメータリストの中から１つのパラメータ情報を指定するインデックス指定情報を上りリンクデータ送信許可信号に含めて送信する無線送信部を備えるようにしても良い。また、基地局装置と移動局装置とを用いた移動通信方法であって、移動局装置は、受信品質情報を送信する際に使用するパラメータ情報を複数個記載した受信品質情報パラメータリストの中から１つのパラメータ情報を指定するインデックス指定情報で指定されたパラメータ情報の変更を要求するインデックス変更要求を受信品質情報に含めて前記基地局装置に送信する過程を実行し、前記基地局装置は、前記インデックス変更要求を含んだ受信品質情報を受信した場合、インデックス指定情報を送信して、移動局装置が受信品質情報を送信する際に使用するパラメータ情報を設定する過程を実行することを特徴とする移動通信方法であっても良い。
【０１２８】
以上、本発明の各実施の形態について図面を参照して詳述してきたが、具体的な構成はこの実施形態に限られるものではなく、この発明の要旨を逸脱しない範囲の設計等も請求の範囲に含まれる。
【産業上の利用可能性】
【０１２９】
本発明は、移動通信システムに利用可能である。
【国際調査報告】
2008153081.tif 000010
2008153081.tif 000011